(57)【要約】【課題】ＩＣカードに記憶されている情報を利用する場合における安全性を向上させることができるようにする。【解決手段】本発明に係る情報処理装置に適用可能なカメラ付ディジタル携帯電話機８においては、主制御部１２１は、カメラ付ディジタル携帯電話機８に近接されたＩＣカードから、ＩＣカードに記憶されている管理情報を取得し、記憶部１３７に、取得された管理情報を記憶させ、変復調回路部１２９および送受信回路部１３３に、記憶されている管理情報を他の情報処理装置である車載情報処理装置に供給させる。【選択図】  図８
2008077503.tif 000002
【特許請求の範囲】
【請求項１】
情報処理装置に近接されたＩＣカードから、前記ＩＣカードに記憶されている管理情報を取得する第１の取得手段と、
前記第１の取得手段により取得された前記管理情報を記憶する記憶手段と、
前記記憶手段により記憶されている前記管理情報を他の情報処理装置に供給する供給手段とを備えることを特徴とする情報処理装置。
【請求項２】
前記ＩＣカードに記憶されている管理情報を管理する情報管理装置から、前記記憶手段により記憶されている前記管理情報を無効にする無効情報を取得する第２の取得手段をさらに備え、
前記記憶手段は、前記第２の取得手段により取得された前記無効情報を前記管理情報と対応付けてさらに記憶し、
前記供給手段は、前記管理情報とともに前記無効情報を前記他の情報処理装置に供給することを特徴とする請求項１に記載の情報処理装置。
【請求項３】
前記他の情報処理装置は、車載情報処理装置であることを特徴とする請求項１に記載の情報処理装置。
【請求項４】
情報処理装置に近接された他の情報処理装置から、ＩＣカードに記憶されている管理情報を取得する第１の取得手段と、
前記第１の取得手段により取得された前記管理情報を記憶する記憶手段とを備えることを特徴とする情報処理装置。
【請求項５】
前記管理情報を管理する情報管理装置に前記記憶手段により記憶されている前記管理情報を供給する供給手段と、
前記情報管理装置から、前記管理情報に対応付けられて記憶されている証明書情報を取得する第２の取得手段をさらに備えることを特徴とする請求項４に記載の情報処理装置。
【発明の詳細な説明】
【技術分野】
【０００１】
本発明は情報処理装置に係り、特に、ＩＣカードとの間で情報の授受を行うことができるようにした情報処理装置に関する。
【背景技術】
【０００２】
近年、行政庁などの公的機関において手続きを行う際に用いられる種々の行政ＩＣ（Integrated Circuit）カードが普及し始めている。例えば２００３年８月に発行が開始された住民基本台帳カード（本人確認のための情報である氏名、性別、生年月日などが記憶されているＩＣカード）を用いることで、全国のいずれの場所からでも住民票の写しを入手することなどが可能である。この住民基本台帳カード以外にも、行政ＩＣカードの１つとして、健康保険証や介護保険証、運転免許証などに関してＩＣカード化が検討段階に入っている。
【０００３】
例えばＩＣカード化された運転免許証を用いた自動車用キーシステムに関する技術が提案されている（例えば、特許文献１参照）。
【０００４】
特許文献１に提案されている技術によれば、運転者などに関するデータを記憶させたＩＣカードと、自動車側に設置されたＩＣリーダ／ライタにより、運転者を識別してドアのロック・アンロックなどの操作を行うことができる。これにより、運転免許証を不携帯による運転を防止することができる。
【０００５】
また、運転免許証の運転許可機能を移管することができる技術も提案されている（例えば、特許文献２参照）。
【０００６】
特許文献２に提案されている技術によれば、特定のＩＣカードの運転許可機能を第２のＩＣカードに移管することができ、特定のＩＣカードを所持しない状態でも、第２のＩＣカードに基づく車両の運転を行うことができる。
【０００７】
なお、このような行政ＩＣカード以外にも、銀行などでの手続きに用いられるキャッシュカードや、会社などの社員証用のＩＣカードが一般に普及している。
【特許文献１】特開２００３−１２００９４号公報
【特許文献２】特開２００５−１９９８６８号公報
【発明の開示】
【発明が解決しようとする課題】
【０００８】
しかしながら、特許文献１および２に提案されている技術では、これらの行政ＩＣカードやキャッシュカードなどは原則として１枚しか発行されず、ユーザがこれらのＩＣカードを紛失してしまった場合には、そのＩＣカードが再発行されるまで、ユーザはＩＣカードを用いた種々のサービスを享受したり、ＩＣカードを用いて種々の処理を実行させたりすることができないという課題があった。
【０００９】
また、ユーザがＩＣカードを紛失してしまった場合、紛失したＩＣカードが第三者に拾われてしまうと、ＩＣカード上にはユーザに関する個人情報（例えば生年月日や顔など）が少なからず記載されているため、記載された個人情報が第三者に知られてしまったり、第三者によりＩＣカードが不正に利用されてしまう危険性がある。
【００１０】
本発明は、このような状況に鑑みてなされたものであり、ＩＣカードに記憶されている情報を利用する場合における安全性を向上させることができる情報処理装置を提供することを目的とする。
【課題を解決するための手段】
【００１１】
本発明の情報処理装置は、上述した課題を解決するために、情報処理装置に近接されたＩＣカードから、ＩＣカードに記憶されている管理情報を取得する第１の取得手段と、第１の取得手段により取得された管理情報を記憶する記憶手段と、記憶手段により記憶されている管理情報を他の情報処理装置に供給する供給手段とを備えることを特徴とする。
【００１２】
本発明の情報処理装置は、上述した課題を解決するために、情報処理装置に近接された他の情報処理装置から、ＩＣカードに記憶されている管理情報を取得する第１の取得手段と、第１の取得手段により取得された管理情報を記憶する記憶手段とを備えることを特徴とする。
【００１３】
本発明の情報処理装置においては、情報処理装置に近接されたＩＣカードから、ＩＣカードに記憶されている管理情報が取得され、取得された管理情報が記憶され、記憶されている管理情報が他の情報処理装置に供給される。
【００１４】
本発明の情報処理装置においては、情報処理装置に近接された他の情報処理装置から、ＩＣカードに記憶されている管理情報が取得され、取得された管理情報が記憶される。
【発明の効果】
【００１５】
本発明によれば、ＩＣカードに記憶されている情報を利用する場合における安全性を向上させることができる。
【発明を実施するための最良の形態】
【００１６】
以下、本発明の実施の形態について、図面を参照しながら説明する。
【００１７】
［第１実施形態］
図１は、本発明に係るネットワークシステム１の第１実施形態における全体の構成を表している。
【００１８】
図１に示されるように、ユーザは、新たなＩＣカード（例えば、運転免許証に関するＩＣカード）の発行を所望する場合、カード発行会社に設けられたＩＣカード発行装置３を利用して新たなＩＣカードを発行してもらう。すなわち、ＩＣカード発行装置３の本体４は、ユーザの証明書に関する情報である証明書情報（例えば、ユーザの名前や生年月日、性別など）を入力するとともに、ネットワーク６（例えば、インターネット、ＬＡＮ（Local Area Network）、ＷＡＮ（Wide Area Network）、その他の各種のネットワークを含む）を介して本発明に係る情報管理装置に適用可能なデータ管理サーバ７に、入力された入力情報（証明書情報など）を供給する。
【００１９】
データ管理サーバ７は、ネットワーク６を介してＩＣカード発行装置３から供給された証明書情報を取得し、取得された証明書情報を登録するとともに、取得された証明書情報を管理するための管理番号を発行する。データ管理サーバ７は、ネットワーク６を介してＩＣカード発行装置３に発行された管理番号を供給する。
【００２０】
ＩＣカード発行装置３の本体４は、ネットワーク６を介してデータ管理サーバ７から供給された管理番号を取得し、取得された管理番号とともに入力された証明書情報を、本体４にケーブルを介して接続されたＩＣリーダ／ライタ５を用いてＩＣカード２に書き込む（記憶させる）。これにより、新たなＩＣカードを発行することができる。
【００２１】
次に、ユーザにより新たに発行されたＩＣカード２がユーザが所有する本発明に係る情報処理装置に適用可能なカメラ付ディジタル携帯電話機８に近接されると、カメラ付ディジタル携帯電話機８は、内蔵されたＩＣリーダ／ライタ（図示せず）を用いてＩＣカード２に記憶されている管理番号や証明書情報を読み取り、読み取られた管理番号や証明書情報を記憶する。カメラ付ディジタル携帯電話機８は、例えば赤外線やBluetooth（登録商標）やＩＣリーダ／ライタなどの無線通信などを用いて、記憶されている管理番号や証明書情報を自動車９に設置された車載情報処理装置（図示せず）に送信する。これにより、自動車９に設置された車載情報処理装置（図示せず）は、受信された管理番号や証明書情報に基づいて自動車９の起動や停止などの処理を実行する。なお、自動車９以外の車両であってもよい。
【００２２】
また、ネットワークシステム１には、通信サービスの提供エリアを所望の大きさに分割したセル内にそれぞれ固定無線局である基地局１０が設置されている。これらの基地局１０には、移動無線局であるカメラ付ディジタル携帯電話機８が例えばＷ−ＣＤＭＡ（Wideband-Code Division Multiple Access）と呼ばれる符号分割多元接続方式によって無線接続されており、例えば２［ＧＨｚ］の周波数帯域を使用して最大２［Ｍｂｐｓ］のデータ転送速度で大容量データを高速にデータ通信することができる。
【００２３】
このようにカメラ付ディジタル携帯電話機８は、Ｗ−ＣＤＭＡ方式によって大容量データを高速にデータ通信できることにより、音声通話だけでなく電子メールの送受信、簡易ホームページの閲覧、画像の送受信等の多種に及ぶデータ通信を実行できる。
【００２４】
また、基地局１０は、有線回線を介して公衆回線網１１に接続されており、公衆回線網１１には、インターネットサービスプロバイダのアクセスサーバ１２が接続されている。アクセスサーバ１２には、ネットワーク６を介してデータ管理サーバ７以外にも、パーソナルコンピュータ１３が接続される。
【００２５】
なお、本発明の実施形態においては、新たに発行するＩＣカードとして運転免許証に関するＩＣカードを発行し、発行された運転免許証に関するＩＣカードを用いる場合について適用するようにしたが、このような場合に限られず、その他の行政ＩＣカードは勿論、銀行のキャッシュカードなどの種々のＩＣカードに適用することができる。
【００２６】
図２は、図１のＩＣカード２の内部の構成を表している。
【００２７】
図２に示されるように、ＩＣカード２は、例えば、図２に示すアンテナ（ループアンテナ）３０およびコンデンサ３１と、それ以外の構成が１チップに格納されたＩＣから構成され、電磁誘導を利用してＩＣカード発行装置３に設けられたＩＣリーダ／ライタ５やカメラ付ディジタル携帯電話機８に内蔵されたＩＣリーダ／ライタ（図８のＩＣリーダ／ライタ１３９）などと各種のデータを半二重通信する。
【００２８】
ＣＰＵ２１は、ＲＯＭ２２に格納されている制御プログラムをＲＡＭ２３に展開し、ＩＣカード２の全体の動作を制御する。例えばＣＰＵ２１は、ＩＣカード発行装置３に設けられたＩＣリーダ／ライタ５やカメラ付ディジタル携帯電話機８に内蔵されたＩＣリーダ／ライタ（図８のＩＣリーダ／ライタ１３９）などから輻射された電磁波がアンテナ３０において受信されたとき、それに応じて、ＩＣカード２に記憶されている証明書番号（チップＩＤ）に関する情報（証明書番号情報）などをＩＣリーダ／ライタ５などに通知し、所定の処理を行う。
【００２９】
アンテナ３０とコンデンサ３１により構成されるＬＣ回路は、近傍に配置された、ＩＣカード発行装置３に設けられたＩＣリーダ／ライタ５やカメラ付ディジタル携帯電話機８に内蔵されたＩＣリーダ／ライタ（図８のＩＣリーダ／ライタ１３９）などから輻射された所定の周波数の電磁波と共振する。インタフェース部２９は、ＡＳＫ（Amplitude Shift Keying）復調部３６において、アンテナ３０を介して受信した変調波（ASK変調波）を包絡線検波して復調し、復調後のデータをＢＰＳＫ（Binary Phase Shift Keying）復調部３２に出力する。
【００３０】
また、インタフェース部２９は、アンテナ３０において励起された交流磁界をＡＳＫ復調部３６により整流し、それを電圧レギュレータ３４において安定化し、各部に直流電源として供給する。ＩＣカード発行装置３に設けられたＩＣリーダ／ライタ５やカメラ付ディジタル携帯電話機８に内蔵されたＩＣリーダ／ライタ（図８のＩＣリーダ／ライタ１３９）などから輻射される電磁波の電力は、ＩＣカード２に必要な電力を賄う磁界を発生させるように調整される。
【００３１】
また、インタフェース部２９の発振回路３７はＰＬＬ（Phase Locked Loop）回路（図示せず）を内蔵し、受信信号のクロック周波数と同一の周波数のクロック信号を発生する。
【００３２】
さらに、インタフェース部２９は、例えば証明書番号（チップＩＤ）に関する情報などをＩＣカード発行装置３に設けられたＩＣリーダ／ライタ５やカメラ付ディジタル携帯電話機８に内蔵されたＩＣリーダ／ライタ（図８のＩＣリーダ／ライタ１３９）などに送信する場合、ＢＰＳＫ変調部２８から供給されるデータに対応して、例えば所定のスイッチング素子（図示せず）をオン／オフさせ、スイッチング素子がオン状態であるときだけ、所定の負荷をアンテナ３０に並列に接続させることにより、アンテナ３０の負荷を変動させる。
【００３３】
ＡＳＫ変調部３５は、アンテナ３０の負荷の変動により、アンテナ３０において受信されている、ＩＣカード発行装置３に設けられたＩＣリーダ／ライタ５やカメラ付ディジタル携帯電話機８に内蔵されたＩＣリーダ／ライタ（図８のＩＣリーダ／ライタ１３９）などからの変調波をＡＳＫ変調し、その変調成分をアンテナ３０を介してＩＣリーダ／ライタ５などに送信する（ＩＣリーダ／ライタ５などのアンテナの端子電圧を変動させる）（ロードスイッチング方式）。
【００３４】
ＢＰＳＫ復調部３２は、ＡＳＫ復調部３６で復調されたデータがＢＰＳＫ変調されている場合、図示せぬＰＬＬ回路から供給されるクロック信号に基づいて、そのデータの復調（マンチェスターコードのデコード）を行い、復調したデータをデータ受信部３３に出力する。データ受信部３３は、供給されたデータをＣＰＵ２１に適宜出力する。ＣＰＵ２１は、入力されたデータをＲＡＭ２３またはＥＥＰＲＯＭ２４に記憶させる。
【００３５】
ＥＥＰＲＯＭ２４に記憶されたデータは、ＣＰＵ２１により適宜読み出され、データ送信部２７に供給される。ＢＰＳＫ変調部２８は、データ送信部２７から供給されたデータにＢＰＳＫ変調（マンチェスターコードへのコーディング）を行い、それをＡＳＫ変調部３５に出力する。
【００３６】
入出力インタフェース２５は、図示せぬ外部装置との間のインタフェース処理を行う。
【００３７】
ＥＥＰＲＯＭ２４には、証明書番号を含む種々の証明書情報などを予め記憶する。
【００３８】
図３は、図１のＩＣカード発行装置３の内部の詳細な構成を表している。
【００３９】
図３に示されるように、ＩＣカード発行装置３は、ＩＣカード発行処理を実行する本体４と、本体４に例えばケーブルを介して接続されたＩＣリーダ／ライタ５により構成される。
【００４０】
本体４は、ＣＰＵ４１は、ＲＯＭ４２に記憶されているプログラム、または記憶部４８からＲＡＭ４３にロードされたプログラムに従って各種の処理を実行する。
【００４１】
ＲＡＭ４３にはまた、ＣＰＵ４１が各種の処理を実行する上において必要なデータなども適宜記憶される。
【００４２】
ＣＰＵ４１、ＲＯＭ４２、およびＲＡＭ４３には、バス４４を介して相互に接続される。このバス４４にはまた、入出力インタフェース４５が接続されている。
【００４３】
入出力インタフェース４５には、キーボード、マウスなどによりなる入力部４６、ＣＲＴ(Cathode Ray Tube)、ＬＣＤ(Liquid Crystal Display)などよりなるディスプレイ、並びにスピーカなどよりなる出力部４７、ハードディスクなどより構成される記憶部４８、モデム、ターミナルアダプタ、およびネットワークインタフェース（いずれも図示せず）などより構成される通信部４９が接続される。通信部４９は、インターネット（図示せず）を含むネットワーク６を介しての通信処理を行う。また、入出力インタフェース４５には、近接されたＩＣカード２と無線通信を行うＩＣリーダ／ライタ５が接続される。
【００４４】
入出力インタフェース４５にはまた、必要に応じてドライブ５０が接続され、磁気ディスク５１（フロッピディスクを含む）、光ディスク５２（ＣＤ−ＲＯＭ(Compact Disk-Read Only Memory）、ＤＶＤ(Digital Versatile Disk)を含む)、光磁気ディスク５３(ＭＤ(Mini-Disk)を含む)、あるいは半導体メモリ５４などが適宜装着され、それから読み出されたプログラムが、必要に応じて記憶部４８にインストールされる。
【００４５】
図４は、図３のＩＣリーダ／ライタ５の内部の構成を表している。
【００４６】
アンテナ６１は、所定の電磁波を輻射し、それに対する負荷の変化に基づいて、ＩＣカード２が近接されたか否かを検出する。ＩＣカード２が近接されたとき、アンテナ６１は、ＩＣカード２と各種のデータを送受信する。
【００４７】
変調部６２は、発振回路６３から供給される所定の周波数（例えば、１３．５６MHz）の搬送波を、ＳＰＵ（Signal Processing Unit）７０より供給されるデータに基づいてＡＳＫ変調し、生成された変調波を電磁波としてアンテナ６１から出力する。一方、復調部６４は、アンテナ６１を介して取得した変調波（ＡＳＫ変調波）を復調し、復調されたデータをＳＰＵ７０に出力する。
【００４８】
ＩＣ６５は、ＣＰＵ（Central Processing Unit）６６、ＲＯＭ（Read Only Memory）６７、およびＲＡＭ（Random Access Memory）６８、ＳＣＣ（Serial Communication Controller）６９、ＳＰＵ（Signal Processing Unit）７０、並びに、これらのＣＰＵ６６乃至ＳＰＵ７０を相互に接続するバス７１により構成される。
【００４９】
ＣＰＵ６６は、ＲＯＭ６７に格納されている制御プログラムをＲＡＭ６８に展開し、例えば、ＩＣカード２から送信されてきた応答データや本体４のＣＰＵ４１から供給されてきた制御信号に基づいて、各種の処理を実行する。例えば、ＣＰＵ６６は、ＩＣカード２に送信するコマンドを生成し、生成されたコマンドをバス７１を介してＳＰＵ７０に出力したり、ＩＣカード２から送信されたデータの認証処理などを行う。
【００５０】
ＳＣＣ６９は、本体４から供給されたデータを、バス７１を介してＣＰＵ６６に供給したり、ＣＰＵ６６からバス７１を介して供給されたデータを本体４に出力する。
【００５１】
ＳＰＵ７０は、ＩＣカード２からの応答データが復調部６４から供給されたとき、そのデータに対して、例えばＢＰＳＫ復調（マンチェスターコードのデコード）などを施し、取得したデータをＣＰＵ６６に供給する。また、ＳＰＵ７０は、ＩＣカード２に送信するコマンドがバス７１を介して供給されたとき、供給されたコマンドにＢＰＳＫ変調（マンチェスターコードへのコーディング）を施し、取得したデータを変調部６２に出力する。
【００５２】
図５は、図１のデータ管理サーバ７の内部の構成を表している。なお、図５を用いて説明するデータ管理サーバ７の内部の構成は、図３を用いて説明したＩＣカード発行装置３の本体４の内部の構成と基本的には同様であり、その説明は繰り返しになるので省略する。
【００５３】
図６は、本発明に係る情報処理装置として適用可能なカメラ付ディジタル携帯電話機８の外観の構成を表している。なお、図６［Ａ］は、カメラ付ディジタル携帯電話機８を約１８０度に見開いたときの正面から見た外観の構成を表しており、図６［Ｂ］は、カメラ付ディジタル携帯電話機８を見開いたときの側面から見た外観の構成を表している。
【００５４】
図６［Ａ］および［Ｂ］に示されるように、カメラ付ディジタル携帯電話機８は、中央のヒンジ部１０１を境に第１の筐体１０２と第２の筐体１０３とがヒンジ結合されており、ヒンジ部１０１を介して矢印Ｘ方向に折り畳み可能に形成される。カメラ付ディジタル携帯電話機８の内部の所定の位置には、送受信用のアンテナ（後述する図８のアンテナ１３４）が設けられており、内蔵されたアンテナを介して基地局１０との間で電波を送受信する。
【００５５】
第１の筐体１０２には、その表面に「０」乃至「９」の数字キー、発呼キー、リダイヤルキー、終話・電源キー、クリアキー、および電子メールキーなどの操作キー１０４が設けられており、操作キー１０４を用いて各種指示を入力することができる。
【００５６】
第１の筐体１０２には、操作キー１０４として上部に十字キーと確定キーが設けられており、ユーザが十字キーを上下左右方向に操作することにより当てられたカーソルを上下左右方向に移動させることができる。具体的には、第２の筐体１０３に設けられた液晶ディスプレイ１０７に表示されている電話帳リストや電子メールのスクロール動作、簡易ホームページのページ捲り動作および画像の送り動作などの種々の動作を実行する。
【００５７】
また、確定キーを押下することにより、種々の機能を確定することができる。例えば第１の筐体１０２は、ユーザによる十字キーの操作に応じて液晶ディスプレイ１０７に表示された電話帳リストの複数の電話番号の中から所望の電話番号が選択され、確定キーが第１の筐体１０２の内部方向に押圧されると、選択された電話番号を確定して電話番号に対して発呼処理を行う。
【００５８】
さらに、第１の筐体１０２には、十字キーと確定キーの左隣に電子メールキーが設けられており、電子メールキーが第１の筐体１０２の内部方向に押圧されると、メールの送受信機能を呼び出すことができる。十字キーと確定キーの右隣には、ブラウザキーが設けられており、ブラウザキーが第１の筐体１０２の内部方向に押圧されると、Ｗｅｂページのデータを閲覧することが可能となる。なお、十字キーと確定キーの左右隣に設けられた電子メールキーおよびブラウザキーは、液晶ディスプレイ１０７に表示される画面により例えば「Yes」や「No」などの種々の機能をもつことが可能であるため、それぞれ、soft１キーおよびsoft２キーと呼ばれる。
【００５９】
また、第１の筐体１０２には、操作キー１０４の下部にマイクロフォン１０５が設けられており、マイクロフォン１０５によって通話時のユーザの音声を集音する。また、第１の筐体１０２には、カメラ付ディジタル携帯電話機８の操作を行うサイドキー１０６が設けられている。
【００６０】
なお、第１の筐体１０２は、背面側に図示しないバッテリパックが挿着されており、終話・電源キーがオン状態になると、バッテリパックから各回路部に対して電力が供給されて動作可能な状態に起動する。
【００６１】
ところで、第１の筐体１０２には、第１の筐体１０２の下部の所定の位置に抜差自在なメモリカード（後述する図８のメモリカード１３６）を挿着するためのメモリカードスロット（図示せず）が設けられており、メモボタン（図示せず）が押下されるとメモリカードに通話中の相手の音声を記録したり、ユーザの操作に応じて電子メール、簡易ホームページ、ＣＣＤカメラで撮像した画像を記録することができる。
【００６２】
ここで、メモリカードは、ＮＡＮＤ型フラッシュメモリカードやＮＯＲ型フラッシュメモリカードなどに代表されるフラッシュメモリカードの一種であり、小型薄型形状のプラスチックケース内に電気的に書換えや消去が可能な不揮発性メモリであるフラッシュメモリ素子を格納したものであり、１０ピン端子を介して画像や音声、音楽等の各種データの書き込み及び読み出しが可能となっている。
【００６３】
また、メモリカードは、大容量化等による内蔵フラッシュメモリの仕様変更に対しても、使用する機器で互換性を確保することができる独自のシリアルプロトコルを採用し、高速性能を実現しているとともに、誤消去防止スイッチを設けて高い信頼性を確保している。
【００６４】
従って、カメラ付ディジタル携帯電話機８は、このようなメモリカードを挿着可能に構成されているために、メモリカードを介して他の電子機器との間でデータの共有化を図ることができる。
【００６５】
また、所定の機能を拡張するためのモジュール（チップ）をメモリカードに組み込み、メモリカードスロット（図示せず）にそれを装着させることにより、カメラ付ディジタル携帯電話機８の機能をさらに拡張させることができる。
【００６６】
例えば、非接触ＩＣ（Integrated Circuit）チップが組み込まれたメモリカードをカメラ付ディジタル携帯電話機８に装着することにより、非接触ＩＣチップがカメラ付ディジタル携帯電話機８に内蔵されていない場合であっても、非接触ＩＣチップが内蔵された場合と同様の電子決済機能などを有するように機能を拡張させることもできる。
【００６７】
一方、第２の筐体１０３には、その正面に液晶ディスプレイ１０７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図７のＣＣＤカメラ１１０）で撮像した画像、外部のコンテンツサーバ（図示せず）より受信したコンテンツ、メモリカード（後述する図８のメモリカード１３６）に記憶されているコンテンツを表示することができる。また、液晶ディスプレイ１０７の上部の所定の位置にはスピーカ１０８が設けられており、これにより、ユーザは音声通話することが可能である。
【００６８】
また、第１の筐体１０２と第２の筐体１０３の内部の所定の位置には、カメラ付ディジタル携帯電話機８の状態を検知するための磁気センサ１０９a、１０９b、１０９c、および１０９dが設けられる。
【００６９】
図７は、本発明に係る情報処理装置として適用可能なカメラ付ディジタル携帯電話機８の他の外観の構成を表している。図７のカメラ付ディジタル携帯電話機８の状態は、図６のカメラ付ディジタル携帯電話機８の状態から矢印Ｘ方向に回動させた状態である。なお、図７［Ａ］は、カメラ付ディジタル携帯電話機８を閉じたときの正面から見た外観の構成を表しており、図７［Ｂ］は、カメラ付ディジタル携帯電話機８を閉じたときの側面から見た外観の構成を表している。
【００７０】
第２の筐体１０３の上部には、ＣＣＤカメラ１１０が設けられており、これにより、所望の撮影対象を撮像することができる。ＣＣＤカメラ１１０の下部には、サブディスプレイ１１１が設けられており、現在のアンテナの感度のレベルを示すアンテナピクト、カメラ付ディジタル携帯電話機８の現在の電池残量を示す電池ピクト、現在の時刻などが表示される。
【００７１】
サブディスプレイ１１１の下部には、さらに、静電タッチパッド１１２が設けられる。静電タッチパッド１１２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００７２】
図８は、本発明に係る情報処理装置として適用可能なカメラ付ディジタル携帯電話機８の内部の構成を表している。
【００７３】
図８に示されるように、カメラ付ディジタル携帯電話機８は、第１の筐体１０２及び第２の筐体１０３の各部を統括的に制御する主制御部１２１に対して、電源回路部１２２、操作入力制御部１２３、画像エンコーダ１２４、カメラインタフェース部１２５、ＬＣＤ（Liquid Crystal Display）制御部１２６、多重分離部１２８、変復調回路部１２９、音声コーデック１３０、記憶部１３７、および音楽制御部１３８がメインバス１３１を介して互いに接続されるとともに、画像エンコーダ１２４、画像デコーダ１２７、多重分離部１２８、変復調回路部１２９、音声コーデック１３０、および記録再生部１３５が同期バス１３２を介して互いに接続されて構成される。
【００７４】
電源回路部１２２は、ユーザの操作により終話・電源キーがオン状態にされると、バッテリパックから各部に対して電力を供給することによりカメラ付ディジタル携帯電話機８を動作可能な状態に起動する。
【００７５】
主制御部１２１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部１３７からＲＡＭにロードされた各種のアプリケーションプログラムに従って各種の処理を実行するとともに、種々の制御信号を生成し、各部に供給することによりカメラ付ディジタル携帯電話機８を統括的に制御する。ＲＡＭは、ＣＰＵが各種の処理を実行する上において必要なデータなどを適宜記憶する。
【００７６】
なお、主制御部１２１には、現在の日付と時刻を正確に計測するタイマが内蔵されている。
【００７７】
ここで、ＣＰＵが実行する種々のアプリケーションプログラムは、ＲＯＭや記憶部１３７に予めインストールしておくことができる。また、ＣＰＵが実行する種々のアプリケーションプログラムは、基地局１０を介して通信によってカメラ付ディジタル携帯電話機８にダウンロードすることにより、記憶部１３７にインストールすることができる。さらに、ＣＰＵが実行する種々のアプリケーションプログラムは、メモリカード１３６に記録しておき、記録再生部１３５によって読み出して、記憶部１３７にインストールすることも可能である。
【００７８】
カメラ付ディジタル携帯電話機８は、主制御部１２１の制御に基づいて、音声通話モード時にマイクロフォン１０５で集音した音声信号を音声コーデック１３０によってディジタル音声信号に変換、圧縮し、これを変復調回路部１２９でスペクトラム拡散処理し、送受信回路部１３３でディジタルアナログ変換処理及び周波数変換処理を施した後にアンテナ１３４を介して送信する。
【００７９】
また、カメラ付ディジタル携帯電話機８は、音声通話モード時にアンテナ１３４で受信した受信信号を増幅して周波数変換処理及びアナログディジタル変換処理を施し、変復調回路部１２９でスペクトラム逆拡散処理し、音声コーデック１３０によって伸張し、アナログ音声信号に変換した後、変換されたアナログ音声信号をスピーカ１０８を介して出力する。
【００８０】
さらに、カメラ付ディジタル携帯電話機８は、データ通信モード時に電子メールを送信する場合、操作キー１０４の操作によって入力された電子メールのテキストデータを操作入力制御部１２３を介して主制御部１２１に送出する。主制御部１２１は、テキストデータを変復調回路部１２９でスペクトラム拡散処理し、送受信回路部１３３でディジタルアナログ変換処理及び周波数変換処理を施した後にアンテナ１３４を介して基地局１０へ送信する。
【００８１】
これに対してカメラ付ディジタル携帯電話機８は、データ通信モード時に電子メールを受信する場合、アンテナ１３４を介して基地局１０から受信した受信信号を変復調回路部１２９でスペクトラム逆拡散処理して元のテキストデータを復元した後、ＬＣＤ制御部１２６を介して液晶ディスプレイ１０７に電子メールとして表示する。
【００８２】
その後カメラ付ディジタル携帯電話機８は、ユーザの操作に応じて受信した電子メールを記録再生部１３５を介してメモリカード１３６に記録することも可能である。
【００８３】
カメラ付ディジタル携帯電話機８は、画像信号を送信しない場合には、ＣＣＤカメラ１１０で撮像した画像信号をカメラインタフェース部１３５及びＬＣＤ制御部１３６を介して液晶ディスプレイ１０７に直接表示する。
【００８４】
カメラ付ディジタル携帯電話機８は、データ通信モード時に画像信号を送信する場合、ＣＣＤカメラ１１０で撮像された画像信号をカメラインタフェース部１２５を介して画像エンコーダ１２４に供給する。
【００８５】
画像エンコーダ１２４は、ＣＣＤカメラ１１０から供給された画像信号を、例えばＭＰＥＧ（Moving Picture Experts Group）４などの所定の符号化方式によって圧縮符号化することにより符号化画像信号に変換し、変換された符号化画像信号を多重分離部１２８に送出する。このとき同時にカメラ付ディジタル携帯電話機８は、ＣＣＤカメラ１１０で撮像中にマイクロフォン１０５で集音した音声を音声コーデック１３０を介してディジタルの音声信号として多重分離部１２８に送出する。
【００８６】
多重分離部１２８は、画像エンコーダ１２４から供給された符号化画像信号と音声コーデック１３０から供給された音声信号とを所定の方式で多重化し、その結果得られる多重化信号を変復調回路部１２９でスペクトラム拡散処理し、送受信回路部１３３でディジタルアナログ変換処理及び周波数変換処理を施した後にアンテナ１３４を介して送信する。
【００８７】
これに対して、カメラ付ディジタル携帯電話機８では、データ通信モード時に、Ｗｅｂページのデータを受信することができる。
【００８８】
すなわち、カメラ付ディジタル携帯電話機８において、データ通信モードに、例えばＷｅｂページを要求するデータを送信すると、その要求に応じて、Ｗｅｂページのデータが基地局１０を介して送信される。このＷｅｂページのデータは、アンテナ１３４を介して送受信回路部１３３および変復調回路部１２９で受信される。送受信回路部１３３および変復調回路部１２９は、受信したＷｅｂページのデータを主制御部１２１に送出する。
【００８９】
主制御部１２１は、Ｗｅｂページのデータを解釈し、その解釈に基づく画面（画像）を作成する。作成された画面は、主制御部１２１からＬＣＤ制御部１２６を介して液晶ディスプレイ１０７に供給されて表示される。すなわち、主制御部１２１のＲＯＭまたは記憶部１３７には、少なくともＷｅｂブラウザのアプリケーションプログラムがインストールされており、主制御部１２１のＣＰＵは、ＲＡＭ上でＷｅｂブラウザのアプリケーションプログラムを実行することで、Ｗｅｂブラウザとして機能し、Ｗｅｂページのデータの解釈などを行う。
【００９０】
また、カメラ付ディジタル携帯電話機８は、データ通信モード時に例えばＷｅｂページなどにリンクされた動画像ファイルのデータを受信する場合、アンテナ１３４を介して基地局１０から受信した受信信号を変復調回路部１２９でスペクトラム逆拡散処理し、その結果得られる多重化信号を多重分離部１２８に送出する。
【００９１】
多重分離部１２８は、多重化信号を分離することにより符号化画像信号と音声信号とに分け、同期バス１３２を介して符号化画像信号を画像デコーダ１２７に供給すると共に音声信号を音声コーデック１３０に供給する。画像デコーダ１２７は、符号化画像信号をＭＰＥＧ４などの所定の符号化方式に対応した復号化方式でデコードすることにより再生動画像信号を生成し、生成された再生動画像信号をＬＣＤ制御部１２６を介して液晶ディスプレイ１０７に供給する。これにより、例えば、Ｗｅｂページなどにリンクされた動画像ファイルに含まれる動画像データが表示される。
【００９２】
このとき同時に音声コーデック１３０は、音声信号をアナログ音声信号に変換した後、これをスピーカ１０８に供給し、これにより、例えば、Ｗｅｂページなどにリンクされた動画像ファイルに含まる音声信号が再生される。この場合も電子メールの場合と同様にカメラ付ディジタル携帯電話機８は、受信したＷｅｂページなどにリンクされたデータをユーザの操作により記録再生部１３５を介してメモリカード１３６に記録することが可能である。
【００９３】
記憶部１３７は、例えば、電気的に書換えや消去が可能な不揮発性メモリであるフラッシュメモリ素子などからなり、主制御部１２１のＣＰＵにより実行される種々のアプリケーションプログラムや種々のデータ群を格納している。また、記憶部１３７は、必要に応じて、ユーザの操作に応じて受信した電子メールや、受信したＷｅｂページなどにリンクされた動画像ファイルに含まれる動画像データなどを記憶する。
【００９４】
音楽制御部１３８は、記憶部１３７に記憶されているオーディオデータの再生動作および一時停止動作や、巻戻し機能、早送り機能、音量ダウン動作、音量アップ動作などの実行を制御する。
【００９５】
ＩＣリーダ／ライタ１３９は、ＩＣカード２に記憶されている管理情報や証明書情報などを読み取り、読み取られた管理情報や証明書情報などをメインバス１３１を介して主制御部１２１に供給する。
【００９６】
図９は、図８のＩＣリーダ／ライタ１３９の内部の構成を表している。なお、図９のＩＣリーダ／ライタ１３９の構成については、図４のＩＣリーダ／ライタ５の構成と基本的には同様であり、その説明は繰り返しになるので省略する。
【００９７】
図１０は、図１の自動車９に設置された車載情報処理装置１６０の内部の構成を表している。なお、図１０を用いて説明する車載情報処理装置１６０の内部の構成は、図５を用いて説明したデータ管理サーバ７の内部の構成と基本的には同様であり、その説明は繰り返しになるので省略する。
【００９８】
図１１は、図１のパーソナルコンピュータ１３の内部の構成を表している。なお、図１１を用いて説明するパーソナルコンピュータ１３の内部の構成は、図５を用いて説明したデータ管理サーバ７の内部の構成と基本的には同様であり、その説明は繰り返しになるので省略する。
【００９９】
次に、図１２のフローチャートを参照して、図３のＩＣカード発行装置３におけるＩＣカード発行処理について説明する。このＩＣカード発行処理は、ユーザが新たなＩＣカード２（例えば運転免許証などの証明書に関するＩＣカード２）の発行を所望する場合に、ユーザがカード発行会社に新たなＩＣカード２の発行を依頼し、カード発行会社の社員によりＩＣカード発行処理の開始が指示されることにより開始される。
【０１００】
ステップＳ１において、ＣＰＵ４１は、カード発行会社の社員により入力部４６が操作されることによりＩＣカード発行処理を開始するとの指示がなされたか否かを判定し、ＩＣカード発行処理を開始するとの指示がなされたと判定するまで待機する。
【０１０１】
ステップＳ１においてＩＣカード発行処理を開始するとの指示がなされたと判定された場合、ＣＰＵ４１はステップＳ２で、カード発行会社の社員により入力部４６が操作されることにより入力された入力情報（例えばユーザの証明書に関する情報である証明書情報）を取得する。
【０１０２】
例えば運転免許証などの証明書に関するＩＣカード２の場合、図１３に示されるように、入力情報として「証明書番号：１２３４」、「名前：鈴木一郎」、「生年月日：１９７０年１０月１日」、「写真：画像データ」、「性別：男」、「証明書に関する情報Ａ：普通自動車」、「証明書に関する情報Ｂ：自動二輪」、「証明書に関する情報Ｃ：取得２００４年７月２日」、「有効期限：２００７年１０月１日」、「管理番号：―」、および「暗証番号：０００１」が入力される。
【０１０３】
ステップＳ３において、ＣＰＵ４１は、ネットワーク６を介して接続されたデータ管理サーバ７に接続を要求するための接続要求を生成し、生成された接続要求をネットワーク６を介してデータ管理サーバ７に供給する。
【０１０４】
具体的には、ＣＰＵ４１は、生成された接続要求をバス４４および入出力インタフェース４５を介して通信部４９に供給する。ＣＰＵ４１は、通信部４９を制御し、生成された接続要求をネットワーク６を介してデータ管理サーバ７に送信させる。通信部４９は、ＣＰＵ４１の制御に従い、生成された接続要求をネットワーク６を介してデータ管理サーバ７に送信する。
【０１０５】
ステップＳ４において、ＣＰＵ４１は、通信部４９において受信されたデータ管理サーバ７からの接続応答に基づいて、データ管理サーバ７との接続に成功したか否かを判定し、データ管理サーバ７との接続に成功したと判定するまで待機する。
【０１０６】
ステップＳ４においてデータ管理サーバ７との接続に成功したと判定された場合、ＣＰＵ４１はステップＳ５で、取得された入力情報（例えばユーザの証明書に関する情報である証明書情報）をネットワーク６を介してデータ管理サーバ７に供給する。
【０１０７】
具体的には、ＣＰＵ４１は、取得された入力情報（例えばユーザの証明書に関する情報である証明書情報）をバス４４および入出力インタフェース４５を介して通信部４９に供給する。ＣＰＵ４１は、通信部４９を制御し、取得された入力情報（例えばユーザの証明書に関する情報である証明書情報）をネットワーク６を介してデータ管理サーバ７に送信させる。通信部４９は、ＣＰＵ４１の制御に従い、取得された入力情報（例えばユーザの証明書に関する情報である証明書情報）をネットワーク６を介してデータ管理サーバ７に送信する。
【０１０８】
ステップＳ６において、通信部４９は、ネットワーク６を介してデータ管理サーバ７から送信されてきたユーザの証明書に関する情報である証明書情報を管理するための管理情報（例えば管理番号「１０００１」）を受信し、受信された管理情報（例えば管理番号「１０００１」）を入出力インタフェース４５およびバス４４を介してＣＰＵ４１に供給する。
【０１０９】
ＣＰＵ４１は、入出力インタフェース４５およびバス４４を介して通信部４９から供給された管理情報（例えば管理番号「１０００１」）を取得する。
【０１１０】
ステップＳ７において、ＣＰＵ４１は、取得された管理情報（例えば管理番号「１０００１」）に基づいて、入力情報を更新する。すなわち、例えば図１３に示される入力情報は、取得された管理情報（例えば管理番号「１０００１」）が追加され、図１４に示されるように更新される。
【０１１１】
ステップＳ８において、ＣＰＵ４１は、ＩＣリーダ／ライタ５を制御し、更新された入力情報（ユーザの証明書に関する証明書情報と管理情報）を登録情報として、ＩＣリーダ／ライタ５に近接するＩＣカード２に書き込む。
【０１１２】
例えば図１５に示されるように、登録情報として、「管理番号：１０００１」、「証明書番号：１２３４」、「名前：鈴木一郎」、「生年月日：１９７０年１０月１日」、「証明書に関する情報Ａ：普通自動車」、「証明書に関する情報Ｂ：自動二輪」、「証明書に関する情報Ｃ：取得２００４年７月２日」、「有効期限：２００７年１０月１日」、「証明書の有効／無効：有効」、および「暗証番号：０００１」がＩＣカード２に書き込まれる。なお、ＩＣカード２に書き込まれる登録情報には、更新された入力情報以外に、例えば証明書の有効／無効に関する情報が追加される。
【０１１３】
具体的には、第１に、ＳＣＣ６９は、本体４から供給されたデータ（登録情報）を、バス７１を介してＣＰＵ６６に供給する。ＣＰＵ６６は、バス７１を介してＳＣＣ６９から供給されたデータ（登録情報）を取得するとともに、取得されたデータ（登録情報）をＩＣカード２に書き込ませるための書き込みコマンドを生成し、生成された書き込みコマンドをバス７１を介してＳＰＵ７０に供給する。
【０１１４】
ＳＰＵ７０は、ＩＣカード２に送信する書き込みコマンド（データ（登録情報）をＩＣカード２に書き込ませるための書き込みコマンド）がバス７１を介して供給されたとき、供給されたコマンドにＢＰＳＫ変調（マンチェスターコードへのコーディング）を施し、取得したデータを変調部６２に出力する。
【０１１５】
変調部６２は、発振回路６３から供給される所定の周波数の搬送波を、ＳＰＵ７０より供給されるデータに基づいてＡＳＫ変調し、生成された変調波を電磁波としてアンテナ６１から出力し、ＩＣカード２に送信する。
【０１１６】
第２に、ＩＣリーダ／ライタ５に近接されたＩＣカード２のアンテナ３０とコンデンサ３１により構成されるＬＣ回路は、近傍に配置されたＩＣカード発行装置３に設けられたＩＣリーダ／ライタ５から輻射された所定の周波数の電磁波と共振して、ＩＣリーダ／ライタ５からの変調波を受信する。インタフェース部２９は、ＡＳＫ（Amplitude Shift Keying）復調部３６において、アンテナ３０を介して受信した変調波（ASK変調波）を包絡線検波して復調し、復調後のデータをＢＰＳＫ（Binary Phase Shift Keying）復調部３２に出力する。
【０１１７】
ＢＰＳＫ復調部３２は、ＡＳＫ復調部３６で復調されたデータがＢＰＳＫ変調されている場合、図示せぬＰＬＬ回路から供給されるクロック信号に基づいて、そのデータの復調（マンチェスターコードのデコード）を行い、復調したデータをデータ受信部３３に出力する。データ受信部３３は、供給されたデータ（ＩＣリーダ／ライタ５からの登録情報）をＣＰＵ２１に出力する。ＣＰＵ２１は、入力されたデータ（ＩＣリーダ／ライタ５からの登録情報）をＥＥＰＲＯＭ２４に記憶させる。ＥＥＰＲＯＭ２４は、ＣＰＵ２１の制御に従い、（ＩＣリーダ／ライタ５からの登録情報）を記憶する。
【０１１８】
これにより、ユーザの証明書に関する証明書情報と管理情報をＩＣカード２に記憶させることができる。
【０１１９】
図１６のフローチャートを参照して、図１２のフローチャートを参照して説明したＩＣカード発行装置３におけるＩＣカード発行処理に対応する、図５のデータ管理サーバ７における管理情報供給処理について説明する。この管理情報供給処理は、ＩＣカード発行装置３からデータ管理サーバ７への接続要求がネットワーク６を介して取得（受信）されることにより開始される。
【０１２０】
ステップＳ１１において、通信部８９は、ネットワーク６を介してＩＣカード発行装置３から送信されてきたデータ管理サーバ７への接続要求を受信し、受信されたデータ管理サーバ７への接続要求を入出力インタフェース８５およびバス８４を介してＣＰＵ８１に供給する。
【０１２１】
ＣＰＵ８１は、通信部８９から入出力インタフェース８５およびバス８４を介して供給されたデータ管理サーバ７への接続要求を取得する。
【０１２２】
ステップＳ１２において、ＣＰＵ８１は、接続が要求されたＩＣカード発行装置３の認証処理などを行い、その結果を示す接続応答を生成する。ステップＳ１３において、ＣＰＵ８１は、生成された接続応答をネットワーク６を介してＩＣカード発行装置３に供給する。
【０１２３】
具体的には、ＣＰＵ８１は、生成された接続応答をバス８４および入出力インタフェース８５を介して通信部８９に供給する。ＣＰＵ８１は、通信部８９を制御し、生成された接続応答をネットワーク６を介してＩＣカード発行装置３に送信させる。通信部８９は、ＣＰＵ８１の制御に従い、生成された接続応答をネットワーク６を介してＩＣカード発行装置３に送信する。
【０１２４】
ステップＳ１４において、ＣＰＵ８１は、通信部８９を介して、ＩＣカード発行装置３との接続に成功したか否かを判定し、ＩＣカード発行装置３との接続に成功したと判定するまで待機する。
【０１２５】
ステップＳ１４においてＩＣカード発行装置３との接続に成功したと判定された場合、通信部８９はステップＳ１５で、ネットワーク６を介してＩＣカード発行装置３から送信されてきたＩＣカード発行装置３における入力情報（例えばユーザの証明書に関する情報である証明書情報）を受信し、受信されたＩＣカード発行装置３における入力情報（例えばユーザの証明書に関する情報である証明書情報）を入出力インタフェース８５およびバス８４を介してＣＰＵ８１に供給する。
【０１２６】
ＣＰＵ８１は、入出力インタフェース８５およびバス８４を介して通信部８９から供給されたＩＣカード発行装置３における入力情報（例えばユーザの証明書に関する情報である証明書情報）を取得する。
【０１２７】
ステップＳ１６において、ＣＰＵ８１は、取得されたＩＣカード発行装置３における入力情報に含まれるユーザの証明書に関する情報である証明書情報を管理するための固有の管理情報（例えば管理番号など）を割り当てる。
【０１２８】
ステップＳ１７において、ＣＰＵ８１は、割り当てられた管理情報（例えば管理番号など）とともに、取得されたＩＣカード発行装置３における入力情報（例えばユーザの証明書に関する情報である証明書情報）を記憶部８８に記憶させる。記憶部８８は、ＣＰＵ８１の制御に従い、割り当てられた管理情報（例えば管理番号など）とともに、取得されたＩＣカード発行装置３における入力情報（例えばユーザの証明書に関する情報である証明書情報）を記憶する。
【０１２９】
例えば図１７に示されるように、データ内容として、「証明書番号：１２３４」、「名前：鈴木一郎」、「生年月日：１９７０年１０月１日」、「写真：画像データ」、「性別：男」、「証明書に関する情報：Ａ」、「証明書に関する情報Ｂ」、「証明書に関する情報Ｃ：取得年２００４年７月２日」、「有効期限：２００７年１０月１日」、「管理番号：１０００１」、「暗証番号：０００１」、「証明書の有効／無効：有効」、「違反歴：なし」、「最終違反日：取得日より無違反」、および「紛失履歴：なし」が記憶部８８に記憶される。但し、データ管理サーバ７の記憶部８８に記憶されているデータ内容のうち、一部のデータ（例えば違反歴、最終違反日、および紛失履歴など）については、例えば警察などの特別なアクセス権がない限り、ネットワーク６を介して外部（例えばカメラ付ディジタル携帯電話機８などを用いて）からアクセスできないように設定されている。
【０１３０】
なお、データ管理サーバ７の記憶部８８に記憶される管理情報（例えば管理番号など）とユーザの証明書に関する情報である証明書情報などは、必要に応じて削除や更新することができる。
【０１３１】
ステップＳ１８において、ＣＰＵ８１は、ステップＳ１６の処理により割り当てられた管理情報（例えば管理番号など）をネットワーク６を介してＩＣカード発行装置３に供給する。
【０１３２】
具体的には、ＣＰＵ８１は、割り当てられた管理情報（例えば管理番号など）をバス８４および入出力インタフェース８５を介して通信部８９に供給する。ＣＰＵ８１は、通信部８９を制御し、割り当てられた管理情報（例えば管理番号など）をネットワーク６を介してＩＣカード発行装置３に送信させる。通信部８９は、ＣＰＵ８１の制御に従い、割り当てられた管理番号をネットワーク６を介してＩＣカード発行装置３に送信する。
【０１３３】
その後、データ管理サーバの管理情報供給処理は終了する。
【０１３４】
次に、ユーザは、ＩＣカード発行装置３により発行されたＩＣカード２に、カメラ付ディジタル携帯電話機８に内蔵されたＩＣリーダ／ライタ１３９を近接させ、ＩＣリーダ／ライタ１３９を用いてＩＣカードに記憶されている管理情報や証明書情報などを読み取らせる。以下、カメラ付ディジタル携帯電話機８における管理情報記憶処理について説明する。
【０１３５】
図１８のフローチャートを参照して、図８のカメラ付ディジタル携帯電話機８における管理情報記憶処理について説明する。この管理情報記憶処理は、ユーザにより操作キー１０４が操作されることにより、管理情報記憶処理を開始するとの指示がなされることにより開始される。
【０１３６】
ステップＳ２１において、カメラ付ディジタル携帯電話機８の主制御部１２１は、ＩＣリーダ／ライタ１３９のＣＰＵ１４６を制御して、通信可能範囲にＩＣカード２が存在するか否かを判定し、通信可能範囲にＩＣカード２が存在すると判定するまで待機する。
【０１３７】
ステップＳ２１において通信可能範囲にＩＣカード２が存在すると判定された場合、主制御部１２１はステップＳ２２で、ＩＣリーダ／ライタ１３９を制御して、近接されたＩＣカード２に記憶されている管理情報とユーザの証明書に関する証明書情報を読み取らせる。
【０１３８】
すなわち、第１に、ＩＣリーダ／ライタ１３９のＳＣＣ１４９は、メインバス１３１を介して主制御部１２１から供給された制御信号を、バス１５１を介してＣＰＵ１４６に供給する。ＣＰＵ１４６は、バス１５１を介してＳＣＣ１４９から供給された制御信号に基づいて、ＩＣカード２に記憶されている管理情報とユーザの証明書に関する証明書情報の取得を要求するための取得要求コマンドを生成し、生成された取得要求コマンドをバス１５１を介してＳＰＵ１５０に供給する。
【０１３９】
ＳＰＵ１５０は、ＩＣカード２に送信する取得要求コマンド（ＩＣカード２に記憶されている管理情報とユーザの証明書に関する証明書情報の取得を要求するための取得要求コマンド）がバス１５１を介して供給されたとき、供給されたコマンドにＢＰＳＫ変調（マンチェスターコードへのコーディング）を施し、取得したデータを変調部１４２に出力する。
【０１４０】
変調部１４２は、発振回路１４３から供給される所定の周波数の搬送波を、ＳＰＵ１５０より供給されるデータに基づいてＡＳＫ変調し、生成された変調波を電磁波としてアンテナ１４１から出力し、ＩＣカード２に送信する。
【０１４１】
第２に、ＩＣリーダ／ライタ１３９に近接されたＩＣカード２のアンテナ３０とコンデンサ３１により構成されるＬＣ回路は、近傍に配置されたカメラ付ディジタル携帯電話機８のＩＣリーダ／ライタから輻射された所定の周波数の電磁波と共振して、ＩＣリーダ／ライタ１３９からの変調波を受信する。インタフェース部２９は、ＡＳＫ（Amplitude Shift Keying）復調部３６において、アンテナ３０を介して受信した変調波（ASK変調波）を包絡線検波して復調し、復調後のデータをＢＰＳＫ（Binary Phase Shift Keying）復調部３２に出力する。
【０１４２】
ＢＰＳＫ復調部３２は、ＡＳＫ復調部３６で復調されたデータがＢＰＳＫ変調されている場合、図示せぬＰＬＬ回路から供給されるクロック信号に基づいて、そのデータの復調（マンチェスターコードのデコード）を行い、復調したデータをデータ受信部３３に出力する。データ受信部３３は、供給されたデータ（ＩＣカード２に記憶されている管理情報とユーザの証明書に関する証明書情報の取得を要求するための取得要求コマンド）をＣＰＵ２１に出力する。ＣＰＵ２１は、入力されたデータ（ＩＣカード２に記憶されている管理情報とユーザの証明書に関する証明書情報の取得を要求するための取得要求コマンド）に基づいて、ＥＥＰＲＯＭ２４に記憶されている管理情報とユーザの証明書に関する証明書情報を読み出し、読み出された管理情報とユーザの証明書に関する証明書情報をデータ送信部２７にバス２６を介して供給する。
【０１４３】
ＢＰＳＫ変調部２８は、データ送信部２７から供給されたデータ（読み出された管理情報とユーザの証明書に関する証明書情報）にＢＰＳＫ変調（マンチェスターコードへのコーディング）を行い、それをＡＳＫ変調部３５に出力する。ＡＳＫ変調部３５は、アンテナ３０の負荷の変動により、アンテナ３０において受信されている、カメラ付ディジタル携帯電話機８に内蔵されたＩＣリーダ／ライタ１３９などからの変調波をＡＳＫ変調し、その変調成分（変調後の管理情報とユーザの証明書に関する証明書情報）をアンテナ３０を介してＩＣリーダ／ライタ１３９に送信する。
【０１４４】
第３に、ＩＣリーダ／ライタ１３９のアンテナ１４１は、ＩＣカード２から送信されてきた管理情報とユーザの証明書に関する証明書情報を受信し、受信された管理情報とユーザの証明書に関する証明書情報を復調部１４４に供給する。復調部１４４は、アンテナ１４１を介して取得した変調波（ＡＳＫ変調波）を復調し、復調されたデータをＳＰＵ１５０に出力する。ＳＰＵ１５０は、ＩＣカード２からの応答データ（復調後の管理情報とユーザの証明書に関する証明書情報）が復調部１４４から供給されたとき、そのデータに対して、例えばＢＰＳＫ復調（マンチェスターコードのデコード）などを施し、取得したデータをＣＰＵ１４６にバス１５１を介して供給する。
【０１４５】
ＣＰＵ１４６は、例えばＢＰＳＫ復調後の管理情報とユーザの証明書に関する証明書情報を取得し、取得された例えばＢＰＳＫ復調後の管理情報とユーザの証明書に関する証明書情報をＲＡＭ１４８に記憶させるとともに、メインバス１３１を介して主制御部１２１に供給する。
【０１４６】
ステップＳ２３において、主制御部１２１は、メインバス１３１を介してＩＣリーダ／ライタ１３９から供給された管理情報とユーザの証明書に関する証明書情報を取得する。ステップＳ２４において、主制御部１２１は、取得された管理情報とユーザの証明書に関する証明書情報を記憶部１３７に記憶させる。記憶部１３７は、主制御部１２１の制御に従い、管理情報とユーザの証明書に関する証明書情報を記憶する。勿論、カメラ付ディジタル携帯電話機８に内蔵された図示せぬ非接触ＩＣチップなどに記憶させるようにしてもよい。
【０１４７】
これにより、ＩＣカード２に記憶されている管理情報とユーザの証明書に関する証明書情報を、カメラ付ディジタル携帯電話機８に記憶することができる。
【０１４８】
なお、本発明の実施形態においては、カメラ付ディジタル携帯電話機８に管理情報とユーザの証明書に関する証明書情報を記憶させるようにしたが、このような場合に限られず、管理情報だけでもよいし、管理情報とユーザの証明書に関する証明書情報の一部を記憶させるようにしてもよい。
【０１４９】
なお、カメラ付ディジタル携帯電話機８は、必要に応じて、ネットワーク６を介してデータ管理サーバ７と通信を行い、ユーザの証明書に関する最新の証明書情報を取得して、すでに記憶されている証明書情報を削除や更新することができる。
【０１５０】
次に、ユーザは、自動車９に設置された車載情報処理装置１６０（図１０）に自動車９の起動や停止などの処理を実行させる場合に、カメラ付ディジタル携帯電話機８を用いて、カメラ付ディジタル携帯電話機８の記憶部１３７に記憶されている管理情報とユーザの証明書に関する証明書情報を、自動車９に設置された車載情報処理装置１６０に供給（送信）させる。以下、カメラ付ディジタル携帯電話機８における管理情報供給処理について説明する。
【０１５１】
図１９のフローチャートを参照して、図８のカメラ付ディジタル携帯電話機８における管理情報供給処理について説明する。
【０１５２】
ステップＳ３１において、主制御部１２１は、ユーザにより操作キー１０４が操作されることにより管理情報供給処理を開始するとの指示がなされたか否かを判定し、管理情報供給処理を開始するとの指示がなされたと判定するまで待機する。
【０１５３】
ステップＳ３１において管理情報供給処理を開始するとの指示がなされたと判定された場合、主制御部１２１はステップＳ３２で、記憶部１３７に記憶されている管理情報とユーザの証明書に関する証明書情報を読み出す。
【０１５４】
ステップＳ３３において、主制御部１２１は、読み出された管理情報とユーザの証明書に関する証明書情報を自動車９に設置された車載情報処理装置１６０に供給する。すなわち、主制御部１２１は、読み出された管理情報とユーザの証明書に関する証明書情報を、例えば図示せぬBluetooth（登録商標）モジュールや赤外線通信部などを介して自動車９に設置された車載情報処理装置１６０に送信する。勿論、Bluetooth（登録商標）通信や赤外線通信など以外の無線通信を用いて、管理情報とユーザの証明書に関する証明書情報を、自動車９に設置された車載情報処理装置１６０に送信するようにしてもよい。
【０１５５】
また、カメラ付ディジタル携帯電話機８に内蔵された図示せぬ非接触ＩＣチップに管理情報とユーザの証明書に関する証明書情報を記憶させておいた場合、例えば図ＩＣリーダ／ライタ５などを用いて車載情報処理装置１６０に読み取らせて供給するようにしてもよい。
【０１５６】
その後、カメラ付ディジタル携帯電話機８における管理情報供給処理は終了する。
【０１５７】
図２０のフローチャートを参照して、図１９のフローチャートを参照して説明したカメラ付ディジタル携帯電話機８における管理情報供給処理に対応する、図１０の車載情報処理装置１６０における自動車制御処理について説明する。
【０１５８】
ステップＳ４１において、通信部１６９は、内蔵される例えばBluetooth（登録商標）通信や赤外線通信などを用いて、カメラ付ディジタル携帯電話機８から送信されてきた管理情報とユーザの証明書に関する証明書情報を受信し、受信された管理情報とユーザの証明書に関する証明書情報を入出力インタフェース１６５とバス１６４を介してＣＰＵ１６１に供給する。
【０１５９】
ＣＰＵ１６１は、通信部１６９から入出力インタフェース１６５とバス１６４を介して供給された管理情報とユーザの証明書に関する証明書情報を取得する。
【０１６０】
ステップＳ４２において、ＣＰＵ１６１は、記憶部１６８に予め記憶されている、自動車９を起動可能な管理情報（例えば管理番号）を読み出す。例えば図２１に示されるように、記憶部１６８には起動可能な管理情報として、例えば「１０００１」、「１０００４」、「３８２７３」などの管理番号が予め記憶されており、これらの管理番号が起動可能な管理情報として読み出される。
【０１６１】
ステップＳ４３において、ＣＰＵ１６１は、読み出された起動可能な管理情報を参照して、取得された管理情報と一致するか否かを照合する。なお、本発明の実施形態においては、説明を簡単にするために管理情報を用いて認証処理（照合処理）を行うようにしたが、このような場合に限られず、管理情報以外の認証番号などを用いて認証処理（照合処理）を実行するようにしてもよい。
【０１６２】
ステップＳ４３において取得された管理情報と一致すると照合された場合、ＣＰＵ１６１はステップＳ４４で、取得された証明書情報に基づいて、自動車９を現在運転することが可能なユーザであるか否かを判定する。具体的には、有効期限が切れてしまったユーザではないか否かなどを判定する。
【０１６３】
ステップＳ４４において自動車９を現在運転することが可能なユーザであると判定された場合、ＣＰＵ１６１はステップＳ４５で、自動車９の起動・停止処理を実行する。
【０１６４】
ステップＳ４４において自動車９を現在運転することが可能なユーザではないと判定された場合、ＣＰＵ１６１はステップＳ４６で、エラー処理を実行する。具体的には、ユーザに対して現在運転することができない旨を通知する。
【０１６５】
一方、ステップＳ４３において取得された管理情報と一致しないと照合された場合、処理はステップＳ４６に進み、ステップＳ４６においてエラー処理が実行される。具体的には、ユーザに対して正当なユーザではない旨を通知する。
【０１６６】
本発明の第１実施形態においては、ＩＣカード２に記憶されている管理情報とユーザの証明書に関する証明書情報をＩＣリーダ／ライタ１３９を用いて読み取り、読み取られた管理情報とユーザの証明書に関する証明書情報を、本発明に係る情報処理装置に適用可能なカメラ付ディジタル携帯電話機８に記憶し、記憶された管理情報とユーザの証明書に関する証明書情報を用いて自動車９に設置された車載情報処理装置１６０に自動車制御処理を実行させるようにしたので、ユーザがＩＣカード２を持ち運ぶ必要がなくなることからＩＣカード２自体の紛失を防止することができ、ＩＣカードに記憶されている情報を利用する場合における個人情報の漏洩や第三者による不正利用を防止することができ、ＩＣカード２に記憶されている情報を利用する場合における安全性を向上させることができる。また、ユーザが、証明書の有効期限が切れたままの状態で、気づかないうちに自動車９を運転してしまうことを未然に防止することができる。これにより、ＩＣカード２に記憶されている情報を利用する場合における利便性を向上させることができる。
【０１６７】
ところで、ＩＣカード２から読み取られた管理情報などを記憶させたカメラ付ディジタル携帯電話機８をユーザが紛失してしまった場合、紛失したカメラ付ディジタル携帯電話機８が第三者に拾われてしまうと、カメラ付ディジタル携帯電話機８がその第三者に不正に利用されてしまう危険性がある。そこで、データ管理サーバ７とネットワーク６を介して接続されたパーソナルコンピュータ１３を用いてデータ管理サーバ７と通信し、遠隔操作を行って、カメラ付ディジタル携帯電話機８にすでに記憶されている管理情報を無効にするための無効情報をデータ管理サーバ７からカメラ付ディジタル携帯電話機８に供給（送信）させるようにしてもよい。以下、パーソナルコンピュータ１３における固有情報供給処理について説明する。
【０１６８】
図２２のフローチャートを参照して、図１１のパーソナルコンピュータ１３における無効情報供給処理について説明する。
【０１６９】
ステップＳ５１において、ＣＰＵ１８１は、ネットワーク６を介して接続されたデータ管理サーバ７に接続を要求するための接続要求を生成し、生成された接続要求をネットワーク６を介してデータ管理サーバ７に供給する。
【０１７０】
具体的には、ＣＰＵ１８１は、生成された接続要求をバス１８４および入出力インタフェース１８５を介して通信部１８９に供給する。ＣＰＵ１８１は、通信部１８９を制御し、生成された接続要求をネットワーク６を介してデータ管理サーバ７に送信させる。通信部１８９は、ＣＰＵ１８１の制御に従い、生成された接続要求をネットワーク６を介してデータ管理サーバ７に送信する。
【０１７１】
ステップＳ５２において、ＣＰＵ１８１は、通信部１８９において受信されたデータ管理サーバ７からの接続応答に基づいて、データ管理サーバ７との接続に成功したか否かを判定し、データ管理サーバ７との接続に成功したと判定するまで待機する。
【０１７２】
ステップＳ５２においてデータ管理サーバ７との接続に成功したと判定された場合、ＣＰＵ１８１はステップＳ５３で、ネットワーク６を介して接続されたデータ管理サーバ７に対して、カメラ付ディジタル携帯電話機８に記憶されている管理情報を無効にするための無効情報の生成を要求するための無効情報生成要求を生成し、生成された無効情報生成要求をネットワーク６を介してデータ管理サーバ７に供給する。
【０１７３】
具体的には、ＣＰＵ１８１は、生成された無効情報生成要求をバス１８４および入出力インタフェース１８５を介して通信部１８９に供給する。ＣＰＵ１８１は、通信部１８９を制御し、生成された無効情報生成要求をネットワーク６を介してデータ管理サーバ７に送信させる。通信部１８９は、ＣＰＵ１８１の制御に従い、供給された無効情報生成要求をネットワーク６を介してデータ管理サーバ７に送信する。
【０１７４】
ステップＳ５４において、通信部１８９は、ネットワーク６を介してデータ管理サーバ７から送信されてきた無効情報生成応答を受信し、受信された無効情報生成応答を入出力インタフェース１８５およびバス１８４を介してＣＰＵ１８１に供給する。
【０１７５】
ＣＰＵ１８１は、通信部１８９から入出力インタフェース１８５およびバス１８４を介して供給された無効情報生成用応答を取得する。
【０１７６】
ステップ５５において、ＣＰＵ１８１は、データ管理サーバ７からの無効情報生成応答を取得すると、ユーザにより入力部１８６が操作されることにより入力されたユーザが所有するカメラ付ディジタル携帯電話機８に関する固有情報（例えばカメラ付ディジタル携帯電話機８の携帯電話番号など）を取得する。
【０１７７】
ステップＳ５６において、ＣＰＵ１８１は、取得されたユーザが所有するカメラ付ディジタル携帯電話機８に関する固有情報（例えばカメラ付ディジタル携帯電話機８の携帯電話番号など）をネットワーク６を介してデータ管理サーバ７に供給する。
【０１７８】
具体的には、ＣＰＵ１８１は、取得されたユーザが所有するカメラ付ディジタル携帯電話機８に関する固有情報（例えばカメラ付ディジタル携帯電話機８の携帯電話番号など）をバス１８４および入出力インタフェース１８５を介して通信部１８９に供給する。ＣＰＵ１８１は、通信部１８９を制御し、取得されたユーザが所有するカメラ付ディジタル携帯電話機８に関する固有情報（例えばカメラ付ディジタル携帯電話機８の携帯電話番号など）をネットワーク６を介してデータ管理サーバ７に送信させる。通信部１８９は、ＣＰＵ１８１の制御に従い、供給されたユーザが所有するカメラ付ディジタル携帯電話機８に関する固有情報（例えばカメラ付ディジタル携帯電話機８の携帯電話番号など）をネットワーク６を介してデータ管理サーバ７に送信する。
【０１７９】
図２３のフローチャートを参照して、図２２のフローチャートを参照して説明したパーソナルコンピュータ１３における固有情報供給処理に対応する、図５のデータ管理サーバ７における無効情報供給処理について説明する。
【０１８０】
ステップＳ６１において、通信部８９は、ネットワーク６を介してパーソナルコンピュータ１３から送信されてきたデータ管理サーバ７への接続要求を受信し、受信されたデータ管理サーバ７への接続要求を入出力インタフェース８５およびバス８４を介してＣＰＵ８１に供給する。
【０１８１】
ＣＰＵ８１は、通信部８９から入出力インタフェース８５およびバス８４を介して供給されたデータ管理サーバ７への接続要求を取得する。
【０１８２】
ステップＳ６２において、ＣＰＵ８１は、接続が要求されたパーソナルコンピュータ１３の認証処理などを行い、その結果を示す接続応答を生成する。ステップＳ６３において、ＣＰＵ８１は、生成された接続応答をネットワーク６を介してパーソナルコンピュータ１３に供給する。
【０１８３】
具体的には、ＣＰＵ８１は、生成された接続応答をバス８４および入出力インタフェース８５を介して通信部８９に供給する。ＣＰＵ８１は、通信部８９を制御し、生成された接続応答をネットワーク６を介してパーソナルコンピュータ１３に送信させる。通信部８９は、ＣＰＵ８１の制御に従い、生成された接続応答をネットワーク６を介してパーソナルコンピュータ１３に送信する。
【０１８４】
ステップＳ６４において、ＣＰＵ８１は、通信部８９を介して、パーソナルコンピュータ１３との接続に成功したか否かを判定し、パーソナルコンピュータ１３との接続に成功したと判定するまで待機する。
【０１８５】
ステップＳ６４においてパーソナルコンピュータ１３との接続に成功したと判定された場合、通信部８９はステップＳ６５で、ネットワーク６を介してパーソナルコンピュータ１３から送信されてきた、カメラ付ディジタル携帯電話機８に記憶されている管理情報を無効にするための無効情報の生成を要求するための無効情報生成要求を受信し、受信された無効情報生成要求を入出力インタフェース８５およびバス８４を介してＣＰＵ８１に供給する。
【０１８６】
ＣＰＵ８１は、入出力インタフェース８５およびバス８４を介して通信部８９から供給された、カメラ付ディジタル携帯電話機８に記憶されている管理情報を無効にするための無効情報の生成を要求するための無効情報生成要求を取得する。
【０１８７】
ステップＳ６６において、ＣＰＵ８１は、取得された無効情報生成要求に対してその結果を示す無効情報生成応答を生成する。ステップＳ６７において、ＣＰＵ８１は、生成された無効情報生成応答をネットワーク６を介してパーソナルコンピュータ１３に供給する。
【０１８８】
具体的には、ＣＰＵ８１は、生成された無効情報生成応答をバス８４および入出力インタフェース８５を介して通信部８９に供給する。ＣＰＵ８１は、通信部８９を制御し、生成された無効情報生成応答をネットワーク６を介してパーソナルコンピュータ１３に送信させる。通信部８９は、ＣＰＵ８１の制御に従い、生成された無効情報生成応答をネットワーク６を介してパーソナルコンピュータ１３に送信する。
【０１８９】
ステップＳ６８において、通信部８９は、ネットワーク６を介してパーソナルコンピュータ１３から送信されてきたユーザが所有するカメラ付ディジタル携帯電話機８に関する固有情報（例えばカメラ付ディジタル携帯電話機８の携帯電話番号など）を受信し、受信されたユーザが所有するカメラ付ディジタル携帯電話機８に関する固有情報（例えばカメラ付ディジタル携帯電話機８の携帯電話番号など）を入出力インタフェース８５およびバス８４を介してＣＰＵ８１に供給する。
【０１９０】
ＣＰＵ８１は、通信部８９から入出力インタフェース８５およびバス８４を介して供給された、ユーザが所有するカメラ付ディジタル携帯電話機８に関する固有情報（例えばカメラ付ディジタル携帯電話機８の携帯電話番号など）を取得する。
【０１９１】
ステップＳ６９において、ＣＰＵ８１は、取得されたユーザが所有するカメラ付ディジタル携帯電話機８に関する固有情報（例えばカメラ付ディジタル携帯電話機８の携帯電話番号など）に基づいて、ユーザが所有するカメラ付ディジタル携帯電話機８に記憶されている管理情報を無効にするための無効情報を生成する。
【０１９２】
ステップＳ７０において、ＣＰＵ８１は、生成された無効情報をネットワーク６を介してカメラ付ディジタル携帯電話機８に供給する。
【０１９３】
具体的には、ＣＰＵ８１は、生成された無効情報をバス８４および入出力インタフェース８５を介して通信部８９に供給する。ＣＰＵ８１は、通信部８９を制御し、生成された無効情報をネットワーク６を介してカメラ付ディジタル携帯電話機８に送信させる。通信部８９は、ＣＰＵ８１の制御に従い、生成された無効情報をネットワーク６を介してカメラ付ディジタル携帯電話機８に送信する。
【０１９４】
次に、図２４のフローチャートを参照して、図２３のフローチャートを参照して説明したデータ管理サーバ７における無効情報供給処理に対応する、図８のカメラ付ディジタル携帯電話機８における無効情報記憶処理について説明する。
【０１９５】
ステップＳ７１において、主制御部１２１は、変復調回路部１２９、送受信回路部１３３、およびアンテナ１３４を介してデータ管理サーバ７から受信された無効情報（カメラ付ディジタル携帯電話機８にすでに記憶されている管理情報を無効にするための無効情報）を取得する。
【０１９６】
ステップＳ７２において、主制御部１２１は、取得された無効情報を記憶部１３７にすでに記憶されている管理情報とユーザの証明書に関する証明書情報と対応付けて記憶部１３７に記憶させる。記憶部１３７は、主制御部１２１の制御に従い、取得された無効情報を、記憶部１３７にすでに記憶されている管理情報とユーザの証明書に関する証明書情報と対応付けて記憶する。
【０１９７】
これにより、パーソナルコンピュータ１３を用いてデータ管理サーバ７から供給（送信）された無効情報をカメラ付ディジタル携帯電話機８に記憶させることができる。
【０１９８】
ここで、ユーザが管理情報などを記憶させたカメラ付ディジタル携帯電話機８を紛失してしまった場合に、パーソナルコンピュータ１３を用いてデータ管理サーバ７から供給（送信）された無効情報をカメラ付ディジタル携帯電話機８に記憶させた後、無効情報を記憶させたカメラ付ディジタル携帯電話機８を拾った第三者が、そのカメラ付ディジタル携帯電話機８を不正に用いて自動車９を起動させようとするとき、カメラ付ディジタル携帯電話機８の記憶部１３７に記憶されている管理情報とユーザの証明書に関する証明書情報とともに、無効情報を自動車９に設置された車載情報処理装置１６０に供給（送信）させる。以下、カメラ付ディジタル携帯電話機８における他の管理情報供給処理について説明する。
【０１９９】
図２５のフローチャートを参照して、図８のカメラ付ディジタル携帯電話機８における管理情報供給処理について説明する。
【０２００】
ステップＳ８１において、主制御部１２１は、ユーザにより操作キー１０４が操作されることにより管理情報供給処理を開始するとの指示がなされたか否かを判定し、管理情報供給処理を開始するとの指示がなされたと判定するまで待機する。
【０２０１】
ステップＳ８１において管理情報供給処理を開始するとの指示がなされたと判定された場合、主制御部１２１はステップＳ８２で、記憶部１３７に記憶されている管理情報とユーザの証明書に関する証明書情報とともに、これらに対応付けて記憶されている無効情報を読み出す。
【０２０２】
ステップＳ８３において、主制御部１２１は、読み出された管理情報、ユーザの証明書に関する証明書情報、および無効情報を自動車９に設置された車載情報処理装置１６０に供給する。すなわち、主制御部１２１は、読み出された管理情報、ユーザの証明書に関する証明書情報、および無効情報を、例えば図示せぬBluetooth（登録商標）モジュールや赤外線通信部などを介して自動車９に設置された車載情報処理装置１６０に送信する。
【０２０３】
勿論、Bluetooth（登録商標）通信や赤外線通信など以外の無線通信（例えばやＩＣリーダ／ライタ１３９など）を用いて、管理情報とユーザの証明書に関する証明書情報を、自動車９に設置された車載情報処理装置１６０に送信するようにしてもよい。
【０２０４】
次に、図２６のフローチャートを参照して、図１０の車載情報処理装置１６０における他の自動車制御処理について説明する。なお、図２６のステップＳ９３乃至Ｓ９７の処理は、図２０のステップＳ４２乃至Ｓ４６の処理と同様であり、その説明は繰り返しになるので省略する。
【０２０５】
ステップ９１において、通信部１６９は、例えばBluetooth（登録商標）通信や赤外線通信などを用いて、カメラ付ディジタル携帯電話機８から送信された管理情報とユーザの証明書に関する証明書情報（無効情報が管理情報などに対応付けられて記憶されている場合には、無効情報も含まれる）を受信し、受信された管理情報と証明書情報を入出力インタフェース１６５とバス１６４を介してＣＰＵ１６１に供給する。
【０２０６】
ＣＰＵ１６１は、通信部１６９から入出力インタフェース１６５とバス１６４を介して供給された管理情報とユーザの証明書に関する証明書情報（無効情報が管理情報などに対応付けられて記憶されている場合には、無効情報も含まれる）を取得する。
【０２０７】
ステップＳ９２において、ＣＰＵ１６１は、管理情報とユーザの証明書に関する証明書情報に対応付けられて取得された無効情報が存在するか否かを判定する。ステップＳ９２において管理情報とユーザの証明書に関する証明書情報に対応付けられて取得された無効情報が存在すると判定された場合、処理はステップＳ９７に進み、ステップＳ９７においてエラー処理が実行される。具体的には、この管理情報では、自動車９を起動・停止することができない旨を通知する。
【０２０８】
これにより、第三者がカメラ付ディジタル携帯電話機８に記憶されている管理情報などを用いて、自動車９を起動・停止させたり、車載情報処理装置１６０において何らかの処理を実行させたりすることを防止することができる。
【０２０９】
本発明の第１実施形態においては、管理情報などを記憶させた本発明に係る情報処理装置似た適用可能なカメラ付ディジタル携帯電話機８をユーザが紛失してしまった場合に、パーソナルコンピュータ１３を用いてデータ管理サーバ７から供給（送信）された無効情報をカメラ付ディジタル携帯電話機８に記憶させた後、無効情報を記憶させたカメラ付ディジタル携帯電話機８を拾った第三者が、そのカメラ付ディジタル携帯電話機８を不正に用いて自動車９を起動させようとするとき、カメラ付ディジタル携帯電話機８の記憶部１３７に記憶されている管理情報とユーザの証明書に関する証明書情報とともに、無効情報を自動車９に設置された車載情報処理装置１６０に供給（送信）させ、供給（送信）された無効情報を用いて管理情報の使用を無効にするようにしたので、ＩＣカード２に記憶されている情報を利用する場合における個人情報の漏洩や第三者による不正利用をより防止することができるだけでなく、第三者がカメラ付ディジタル携帯電話機８に記憶されている管理情報などを用いて自動車９の起動・停止処理を不正に行うことを未然に防止することができ、その結果、ＩＣカード２に記憶されている情報を利用する場合における安全性をより向上させることができる。これにより、ＩＣカード２に記憶されている情報を利用する場合における利便性をより向上させることができる。
【０２１０】
ところで、例えば警察官が道路わきで飲酒運転であるか否かを検査しようとして、自動車９を運転するユーザの証明書に関する証明書情報などの確認を所望する場合、警察官が所有する携帯端末２０１を用いて、ユーザが所有するカメラ付ディジタル携帯電話機８から管理情報を取得し、取得された管理情報を用いてデータ管理サーバ７からユーザの証明書に関する証明書情報などを取得するようにしてもよい。以下、本発明の第２実施形態について説明する。
【０２１１】
なお、本発明の第２実施形態においては、警察官が所有する携帯端末２０１としてのＰＤＡ（Personal Digital Assistant）を用いて管理情報を取得し、取得された管理情報を用いてデータ管理サーバ７からユーザの証明書に関する証明書情報などを取得するようにしたが、このような場合に限られず、携帯端末２０１には、例えばカメラ付ディジタル携帯電話機８パーソナルコンピュータ、その他の情報処理装置を用いるようにしてもよい。
【０２１２】
［第２実施形態］
図２７は、本発明に係るネットワークシステム１の第２実施形態における全体の構成を表している。なお、図１のネットワークシステム１の構成と対応するものについては、同一の符号を付しており、その説明は繰り返しになるので省略する。
【０２１３】
例えば警察官が所有する本発明に係る情報処理装置に適用可能な携帯端末２０１は、ユーザが所有するカメラ付ディジタル携帯電話機８に記憶されている管理情報を取得し、取得された管理情報を用いて、ネットワーク６を介して接続されたデータ管理サーバ７からユーザの証明書に関する証明書情報を取得する。
【０２１４】
図２８は、図２７の携帯端末２０１の内部の構成を表している。
【０２１５】
ＣＰＵ（Central Processing Unit）２１１は、ＲＯＭ（Read Only Memory）２１２に記憶されているプログラム、または記憶部２１９からＲＡＭ（Random Access Memory）２１３にロードされたアプリケーションプログラムに従って各種の処理を実行する。ＲＡＭ２１３にはまた、ＣＰＵ２１１が各種の処理を実行する上において必要なデータなども適宜記憶される。
【０２１６】
ＣＰＵ２１１、ＲＯＭ２１２、およびＲＡＭ２１３は、バスを構成するＣＰＵインタフェース２１４を介して相互に接続されている。ＣＰＵインタフェース２１４には、ＬＣＤ２１８に対する画面の表示を制御する表示制御部２１５も接続されている。
【０２１７】
表示制御部２１５には、カメラ部２１６、ＬＣＤ２１８の他、ＶＲＡＭ（Video RAM）２１７も接続されている。表示制御部２１５は、ＣＰＵ２１１による制御に基づいて、カメラ部２１６により撮像された画像をＶＲＡＭ２１７に記憶させ、そのＶＲＡＭ２１７に記憶させている画像や、他のメモリ（不揮発性半導体メモリ２２４、ＲＡＭ２１３、記憶部２１９）に記憶されている画像をＬＣＤ２１８に表示させる。ＶＲＡＭ２１７には、カメラ部２１６により撮像された画像の他、ＬＣＤ２１８に表示させる画像も記憶される。
【０２１８】
また、ＣＰＵインタフェース２１４には、ボタン２４１、スクロールボタン２４２、およびキーボード２４３などからなる入力部２２０、タッチパネル２２１、赤外線通信ポート２２９、不揮発性半導体メモリスロットに相当するスロットI/F２２２、リムーバブルメインバッテリ２３１およびバックアップバッテリ２３２を充電させるとともに、他の外部装置２３５（例えば、パーソナルコンピュータなど）との通信の中継装置となるクレードル２３４などが接続されるコネクタ２３３、並びに、マイクロフォン２２６で集音された音声をディジタルデータに変換する音声処理部２２５が接続されている。
【０２１９】
なお、タッチパネル２２１により検出された座標を表す情報は、ＣＰＵインタフェース２１４を介してＣＰＵ２１１に供給される。
【０２２０】
さらに、ＣＰＵインタフェース２１４には、ＥＥＰＲＯＭ(Electrically Erasable and Programmable Read Only Memory)またはハードディスクなどより構成される記憶部２１９が接続される。記憶部２１９は、携帯端末２０１に対して着脱可能な記憶媒体である不揮発性半導体メモリ２２４とは異なり、携帯端末２０１が内蔵するメモリである。
【０２２１】
ＣＰＵインタフェース２１４には、Bluetooth（登録商標）などの規格に準拠した無線通信を行う無線通信部２２８、および、ＩＣカードに対して非接触でデータを読み書きする非接触ＩＣカードインタフェース（I/F）２２７が接続されている。
【０２２２】
外部装置２３５（例えば、パーソナルコンピュータなど）に適宜装着される磁気ディスク、光ディスク、光磁気ディスク、あるいは半導体メモリなどから読み出されたアプリケーションは、赤外線通信ポート２２９を介して行われる赤外線通信、無線通信部２２を介して行われる無線通信、または、クレードル２３４を介して行われる有線の通信などにより、必要に応じて携帯端末２０１に対して供給され、記憶部２１９にインストールされる。または、スロットI/F２２２に適宜装着される不揮発性半導体メモリ２２４から読み出されたアプリケーションプログラムも、必要に応じて記憶部２１９にインストールされる。
【０２２３】
ＣＰＵインタフェース２１４には、ＬＣＤ２１８とその上に積層された透明なタッチパネル２２１からなる表示部（図示せず）が本体部（図示せず）に対して閉じた状態の場合、オン状態となり、表示部が本体部に対して開いた状態の場合、オフ状態となるＬＣＤ開閉スイッチ２３９、および、表示部が所定の角度以上回動された場合にオン状態となる
ＬＣＤ回転スイッチ２４０が設けられている。
【０２２４】
また、ＣＰＵインタフェース２１４には、リムーバブルメインバッテリ２３１が装着されるメインバッテリ装着部２３０、およびリムーバブルメインバッテリ２３１が取り外されたときの予備電源となる、充電式ボタン電池等から成るバックアップバッテリ２３２が接続されている。
【０２２５】
図２９のフローチャートを参照して、図２７のユーザが所有するカメラ付ディジタル携帯電話機８（図８のカメラ付ディジタル携帯電話機８）における管理情報供給処理について説明する。
【０２２６】
ステップＳ１０１において、主制御部１２１は、ユーザにより操作キー１０４が操作されることにより管理情報供給処理を開始するとの指示がなされたか否かを判定し、管理情報供給処理を開始するとの指示がなされたと判定するまで待機する。
【０２２７】
ステップＳ１０１において管理情報供給処理を開始するとの指示がなされたと判定された場合、主制御部１２１はステップＳ１０２で、記憶部１３７に記憶されている管理情報を読み出す。
【０２２８】
ステップＳ１０３において、主制御部１２１は、読み出された管理情報を警察官が所有する携帯端末２０１に供給する。すなわち、主制御部１２１は、読み出された管理情報を、例えば図示せぬBluetooth（登録商標）モジュールや赤外線通信部などを介して、警察官が所有する携帯端末２０１に送信する。勿論、Bluetooth（登録商標）通信や赤外線通信など以外の無線通信を用いて、管理情報を、警察官が所有する携帯端末２０１に送信するようにしてもよい。
【０２２９】
図３０のフローチャートを参照して、図２９のフローチャートを参照して説明したユーザが所有するカメラ付ディジタル携帯電話機８における管理情報供給処理に対応する、図２７の警察官が所有する携帯端末２０１（図２８の携帯端末２０１）における管理情報記憶処理について説明する。
【０２３０】
ステップＳ１１１において、ＣＰＵ２１１は、警察官により入力部２２０の例えばボタン２４１などが操作されることにより管理情報取得処理を開始するとの指示がなされたか否かを判定し、管理情報取得処理を開始するとの指示がなされたと判定するまで待機する。
【０２３１】
ステップＳ１１１において管理情報取得処理を開始するとの指示がなされたと判定された場合、ＣＰＵ２１１はステップＳ１１２で、例えばBluetooth（登録商標）通信などを行う無線通信部２２８や赤外線通信ポート２２９などを用いて、ユーザが所有するカメラ付ディジタル携帯電話機８に記憶されている管理情報を取得する。
【０２３２】
ステップＳ１１３において、ＣＰＵ２１１は、取得された管理情報を記憶部２１９に記憶させる。記憶部２１９は、ＣＰＵ２１１の制御に従い、取得された管理情報を記憶する。
【０２３３】
次に、警察官は、自動車９を運転するユーザの証明書に関する証明書情報などの確認を所望する場合、所有する携帯端末２０１に記憶されている管理情報を用いて、ネットワーク６を介して接続されたデータ管理サーバ７からユーザの証明書に関する証明書情報などを取得させる。
【０２３４】
図３１のフローチャートを参照して、図２７の警察官が所有する携帯端末２０１（図２８の携帯端末２０１）における証明書情報取得処理について説明する。
【０２３５】
ステップＳ１２１において、ＣＰＵ２１１は、警察官により入力部２２０の例えばボタン２４１などが操作されることにより証明書情報取得処理を開始するとの指示がなされたか否かを判定し、証明書情報取得処理を開始するとの指示がなされたと判定するまで待機する。
【０２３６】
ステップＳ１２１において証明書情報取得処理を開始するとの指示がなされたと判定された場合、ＣＰＵ２１１はステップＳ１２２で、ネットワーク６を介して接続されたデータ管理サーバ７に接続を要求するための接続要求を生成し、生成された接続要求をネットワーク６を介してデータ管理サーバ７に供給する。
【０２３７】
具体的には、ＣＰＵ２１１は、生成された接続要求をＣＰＵインタフェース２１４を介して無線通信部２２８に供給する。ＣＰＵ２１１は、無線通信部２２８およびネットワーク６を介して、生成された接続要求をデータ管理サーバ７に送信させる。
【０２３８】
ステップＳ１２３において、ＣＰＵ２１１は、無線通信部２２８およびネットワーク６を介して受信されたデータ管理サーバ７からの接続応答に基づいて、データ管理サーバ７との接続に成功したか否かを判定し、データ管理サーバ７との接続に成功したと判定するまで待機する。
【０２３９】
ステップＳ１２３においてデータ管理サーバ７との接続に成功したと判定された場合、ＣＰＵ２１１はステップＳ１２４で、記憶部２１９に記憶されている管理情報（ユーザが所有するカメラ付ディジタル携帯電話機８から取得された管理情報）を読み出す。
【０２４０】
ステップＳ１２５において、ＣＰＵ２１１は、読み出された管理情報（例えば管理番号など）を、無線通信部２２８およびネットワーク６を介してデータ管理サーバ７に供給する。
【０２４１】
具体的には、ＣＰＵ２１１は、読み出された管理情報をＣＰＵインタフェース２１４を介して無線通信部２２８に供給する。ＣＰＵ２１１は、無線通信部２２８およびネットワーク６を介して、読み出された管理情報をデータ管理サーバ７に送信させる。
【０２４２】
ステップＳ１２６において、ＣＰＵ２１１は、無線通信部２２８およびネットワーク６を介して受信されたデータ管理サーバ７からの証明書情報などを取得する。
【０２４３】
例えばユーザの証明書に関する証明書情報として、ユーザの顔写真に関する画像データとともに、「名前：鈴木一郎」、「証明書番号：１２３４」、「生年月日：１９７０年１０月１日」、「証明書の有効／無効：有効」「証明書に関する情報Ａ：普通自動車」、「違反歴：なし」、「紛失履歴：なし」、および「発行場所：東京都」が取得される。このとき、警察官が所有する携帯端末２０１は警察当局としてのアクセス権があることから、データ管理サーバ７から取得される証明書情報には、一般にはアクセスが禁止されている違反歴情報や紛失履歴情報などが含まれる。
【０２４４】
ステップＳ１２７において、ＣＰＵ２１１は、取得されたユーザの証明書に関する証明書情報などを記憶部２１９に記憶させる。記憶部２１９は、ＣＰＵ２１１の制御に従い、取得されたユーザの証明書に関する証明書情報などを記憶する。
【０２４５】
ステップＳ１２８において、ＣＰＵ２１１は、表示制御部２１５を制御し、取得されたユーザの証明書に関する証明書情報などをＬＣＤ２１８に表示させる。ＬＣＤ２１８は、表示制御部２１５の制御に従い、取得されたユーザの証明書に関する証明書情報などを表示する。
【０２４６】
例えば図３２に示されるように、        ユーザの顔写真とともに、ユーザの証明書に関する証明書情報などが表示される。
【０２４７】
これにより、警察官は、ユーザの証明書に関する証明書情報を見て、ユーザ本人を特定するとともに、ユーザに関する種々の情報を知ることができる。
【０２４８】
図３３のフローチャートを参照して、図３１のフローチャートを参照して説明した携帯端末２０１における証明書情報取得処理に対応する、図５のデータ管理サーバ７における証明書情報供給処理について説明する。
【０２４９】
ステップＳ１３１において、通信部８９は、ネットワーク６を介して警察官が所有する携帯端末２０１から送信されてきたデータ管理サーバ７への接続要求を受信し、受信されたデータ管理サーバ７への接続要求を入出力インタフェース８５およびバス８４を介してＣＰＵ８１に供給する。
【０２５０】
ＣＰＵ８１は、通信部８９から入出力インタフェース８５およびバス８４を介して供給されたデータ管理サーバ７への接続要求を取得する。
【０２５１】
ステップＳ１３２において、ＣＰＵ８１は、接続が要求された警察官が所有する携帯端末２０１の認証処理などを行い、その結果を示す接続応答を生成する。ステップＳ１３３において、ＣＰＵ８１は、生成された接続応答をネットワーク６を介して警察官が所有する携帯端末２０１に供給する。
【０２５２】
具体的には、ＣＰＵ８１は、生成された接続応答をバス８４および入出力インタフェース８５を介して通信部８９に供給する。ＣＰＵ８１は、通信部８９を制御し、生成された接続応答をネットワーク６を介して警察官が所有する携帯端末２０１に送信させる。通信部８９は、ＣＰＵ８１の制御に従い、生成された接続応答をネットワーク６を介して警察官が所有する携帯端末２０１に送信する。
【０２５３】
ステップＳ１３４において、ＣＰＵ８１は、通信部８９を介して、警察官が所有する携帯端末２０１との接続に成功したか否かを判定し、警察官が所有する携帯端末２０１との接続に成功したと判定するまで待機する。
【０２５４】
ステップＳ１３４において警察官が所有する携帯端末２０１との接続に成功したと判定された場合、通信部８９はステップＳ１３５で、ネットワーク６を介して警察官が所有する携帯端末２０１から送信されてきた、ユーザが所有するカメラ付ディジタル携帯電話機８に記憶されている管理情報を受信し、受信された、ユーザが所有するカメラ付ディジタル携帯電話機８に記憶されている管理情報を入出力インタフェース８５およびバス８４を介してＣＰＵ８１に供給する。
【０２５５】
ＣＰＵ８１は、入出力インタフェース８５およびバス８４を介して通信部８９から供給された、ユーザが所有するカメラ付ディジタル携帯電話機８に記憶されている管理情報を取得する。
【０２５６】
ステップＳ１３６において、ＣＰＵ８１は、取得された管理情報に予め対応付けられて記憶されている証明書情報などを記憶部８９から読み出す。ステップＳ１３７において、ＣＰＵ８１は、読み出された証明書情報などをネットワーク６を介して警察官が所有する携帯端末２０１に供給する。
【０２５７】
具体的には、ＣＰＵ８１は、読み出された証明書情報などをバス８４および入出力インタフェース８５を介して通信部８９に供給する。ＣＰＵ８１は、通信部８９を制御し、証明書情報などをネットワーク６を介して警察官が所有する携帯端末２０１に送信させる。通信部８９は、ＣＰＵ８１の制御に従い、証明書情報などをネットワーク６を介して警察官が所有する携帯端末２０１に送信する。
【０２５８】
本発明の第２実施形態においては、例えば警察官が道路わきで飲酒運転であるか否かを検査しようとして、自動車９を運転するユーザの証明書に関する証明書情報などの確認を所望する場合、警察官が所有するカメラ付ディジタル携帯電話機８（８−２）を用いて、ユーザが所有するカメラ付ディジタル携帯電話機８（８−１）から管理情報を取得し、取得された管理情報を用いてデータ管理サーバ７からユーザの証明書に関する証明書情報などを取得するようにしたので、ＩＣカード２に記憶されている情報を利用する場合における安全性を向上させるとともに、ユーザがＩＣカード２を持ち歩かなくとも、ユーザ本人を正確に確認することができ、ＩＣカード２に記憶されている情報を利用する場合における公益性を維持しつつ、その利便性を向上させることができる。
【０２５９】
なお、本発明の第２実施形態においては、例えば警察官などがユーザの証明書の内容を確認したい場合などに適用するようにしたが、このような場合に限られず、その他の証明書の内容を確認する場合や参考にしたい場合などに適用することができる。
【０２６０】
なお、本発明は、カメラ付ディジタル携帯電話機８以外にも、ＰＤＡ（Personal Digital Assistant）、パーソナルコンピュータ、その他の情報処理装置にも適用することができる。
【０２６１】
また、本発明の実施形態において説明した一連の処理は、ソフトウェアにより実行させることもできるが、ハードウェアにより実行させることもできる。
【０２６２】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０２６３】
【図１】本発明に係るネットワークシステム１の第１実施形態における全体の構成を示す図。
【図２】図１のＩＣカード２の内部の構成を示すブロック図。
【図３】図１のＩＣカード発行装置の内部の構成を示すブロック図。
【図４】図３のＩＣリーダ／ライタの内部の構成を示すブロック図。
【図５】本発明に係る情報管理装置として適用可能なデータ管理サーバの内部の構成を示すブロック図。
【図６】本発明に係る情報処理装置に適用可能なカメラ付ディジタル携帯電話機の外観の構成を示す外観図。
【図７】本発明に係る情報処理装置に適用可能なカメラ付ディジタル携帯電話機の他の外観の構成を示す外観図。
【図８】本発明に係る情報処理装置に適用可能なカメラ付ディジタル携帯電話機の内部の構成を示すブロック図。
【図９】図８のＩＣリーダ／ライタの内部の構成を示すブロック図。
【図１０】本発明に係る車載情報処理装置の内部の構成を示すブロック図。
【図１１】図１のパーソナルコンピュータの内部の構成を示すブロック図。
【図１２】図３のＩＣカード発行装置におけるＩＣカード発行処理を説明するフローチャート。
【図１３】入力情報の内容を説明するための説明図。
【図１４】入力情報の内容を説明するための説明図。
【図１５】ＩＣカード発行装置からデータ管理サーバに登録する登録情報の内容を説明する説明図。
【図１６】図５のデータ管理サーバにおける管理情報供給処理を説明するフローチャート。
【図１７】データ管理サーバに記憶される情報の内容を説明するための説明図。
【図１８】図８のカメラ付ディジタル携帯電話機における管理情報記憶処理を説明するフローチャート。
【図１９】図８のカメラ付ディジタル携帯電話機における管理情報供給処理を説明するフローチャート。
【図２０】図１０の車載情報処理装置における自動車制御処理を説明するフローチャート。
【図２１】図１０の車載情報処理装置の記憶部に記憶されている起動可能な管理番号を示す図。
【図２２】図１１のパーソナルコンピュータにおける固有情報供給処理を説明するフローチャート。
【図２３】図５のデータ管理サーバにおける無効情報供給処理を説明するフローチャート。
【図２４】図８のカメラ付ディジタル携帯電話機における無効情報記憶処理を説明するフローチャート。
【図２５】図８のカメラ付ディジタル携帯電話機における他の管理情報供給処理を説明するフローチャート。
【図２６】図１０の車載情報処理装置における他の自動車制御処理を説明するフローチャート。
【図２７】本発明に係るネットワークシステム１の第２実施形態における全体の構成を示す図。
【図２８】図２７の本発明に係る情報処理装置に適用可能な携帯端末の内部の構成を示すブロック図。
【図２９】図２７のユーザが所有するカメラ付ディジタル携帯電話機における管理情報供給処理を説明するフローチャート。
【図３０】図２７の警察官が所有する携帯端末における管理情報記憶処理を説明するフローチャート。
【図３１】図２７の警察官が所有する携帯端末における証明書情報取得処理を説明するフローチャート。
【図３２】図２８のＬＣＤに表示される証明書情報の表示例を示す図。
【図３３】図５のデータ管理サーバにおける証明書情報供給処理を説明するフローチャート。
【符号の説明】
【０２６４】
１…ネットワークシステム、２…ＩＣカード、３…ＩＣカード発行装置、４…本体、５…ＩＣリーダ／ライタ、６…ネットワーク、７…データ管理サーバ、８…カメラ付ディジタル携帯電話機、９…自動車、１０…基地局、１１…公衆回線網、１２…アクセスサーバ、１３…パーソナルコンピュータ、２１…ＣＰＵ，２２…ＲＯＭ，２３…ＲＡＭ、２４…ＥＥＰＲＯＭ、２５…入出力インタフェース、２６…バス、２７…データ送信部、２８…ＢＰＳＫ変調部、２９…インタフェース部、３０…アンテナ、３１…コンデンサ、３２…ＢＰＳＫ復調部、３３…データ受信部、３４…電圧レギュレータ、３５…ＡＳＫ変調部、３６…ＡＳＫ復調部、３７…発振回路、４１…ＣＰＵ，４２…ＲＯＭ，４３…ＲＡＭ、４４…バス、４５…入出力インタフェース、４６…入力部、４７…出力部、４８…記憶部、４９…通信部、５０…ドライブ、５１…磁気ディスク、５２…光ディスク、５３…光磁気ディスク、５４…半導体メモリ、６１…アンテナ、６２…変調部、６３…発振回路、６４…復調部、６５…ＩＣ、６６…ＣＰＵ、６７…ＲＯＭ、６８…ＲＡＭ、６９…ＳＣＣ、７０…ＳＰＵ、７１…バス、８１…ＣＰＵ，８２…ＲＯＭ，８３…ＲＡＭ、８４…バス、８５…入出力インタフェース、８６…入力部、８７…出力部、８８…記憶部、８９…通信部、９０…ドライブ、９１…磁気ディスク、９２…光ディスク、９３…光磁気ディスク、９４…半導体メモリ、１０１…ヒンジ、１０２…第１の筐体、１０３…第２の筐体、１０４…操作キー、１０５…マイクロフォン、１０６…サイドキー、１０７…液晶ディスプレイ、１０８…スピーカ、１０９a乃至１０９d…磁気センサ、１１０…ＣＣＤカメラ、１１１…サブディスプレイ、１１２…静電タッチパッド、１２１…主制御部、１２２…電源回路、１２３…操作入力制御部、１２４…画像エンコーダ、１２５…カメラI/F部、１２６…ＬＣＤ制御部、１２７…画像デコーダ、１２８…多重分離部、１２９…変復調回路部、１３０…音声コーデック、１３１…メインバス、１３２…同期バス、１３３…送受信回路部、１３４…アンテナ、１３５…記録再生部、１３６…メモリカード、１３７…記憶部、１３８…音楽制御部、１４１…アンテナ、１４２…変調部、１４３…発振回路、１４４…復調部、１４５…ＩＣ、１４６…ＣＰＵ、１４７…ＲＯＭ、１４８…ＲＡＭ、１４９…ＳＣＣ、１５０…ＳＰＵ、１５１…バス、１６１…ＣＰＵ、１６２…ＲＯＭ、１６３…ＲＡＭ、１６４…バス、１６５…入出力インタフェース、１６６…入力部、１６７…出力部、１６８…記憶部、１６９…通信部、１７０…ドライブ、１７１…磁気ディスク、１７２…光ディスク、１７３…光磁気ディスク、１７４…半導体メモリ、１８１…ＣＰＵ、１８２…ＲＯＭ、１８３…ＲＡＭ、１８４…バス、１８５…入出力インタフェース、１８６…入力部、１８７…出力部、１８８…記憶部、１８９…通信部、１９０…ドライブ、１９１…磁気ディスク、１９２…光ディスク、１９３…光磁気ディスク、１９４…半導体メモリ、２０１…携帯端末、２１１…ＣＰＵ、２１２…ＲＯＭ、２１３…ＲＡＭ、２１４…ＣＰＵインタフェース、２１５…表示制御部、２１６…カメラ部、２１７…ＶＲＡＭ、２１８…ＬＣＤ、２１９…���憶部、２２０…入力部、２２１…タッチパネル、２２２…スロットI/F、２２３…機能拡張モジュール、２２４…不揮発性半導体メモリ、２２５…音声処理部、２２６…マイクロフォン、２２７…非接触ＩＣカードI/F、２２８…無線通信部、２２９…赤外線通信ポート、２３０…メインバッテリ装着部、２３１…リムーバブルメインバッテリ、２３２…バックアップバッテリ、２３３…コネクタ、２３４…クレードル、２３５…外部装置、２３６…本体接続用コネクタ、２３７…ＵＳＢコネクタ、２３８…ＵＳＢポート、２３９…ＬＣＤ開閉スイッチ、２４０…ＬＣＤ回転スイッチ、２４１…ボタン、２４２…スクロールボタン、２４３…キーボード。
【図１】
2008077503.tif 000003
【図２】
2008077503.tif 000004
【図３】
2008077503.tif 000005
【図４】
2008077503.tif 000006
【図５】
2008077503.tif 000007
【図６】
2008077503.tif 000008
【図７】
2008077503.tif 000009
【図８】
2008077503.tif 000010
【図９】
2008077503.tif 000011
【図１０】
2008077503.tif 000012
【図１１】
2008077503.tif 000013
【図１２】
2008077503.tif 000014
【図１３】
2008077503.tif 000015
【図１４】
2008077503.tif 000016
【図１５】
2008077503.tif 000017
【図１６】
2008077503.tif 000018
【図１７】
2008077503.tif 000019
【図１８】
2008077503.tif 000020
【図１９】
2008077503.tif 000021
【図２０】
2008077503.tif 000022
【図２１】
2008077503.tif 000023
【図２２】
2008077503.tif 000024
【図２３】
2008077503.tif 000025
【図２４】
2008077503.tif 000026
【図２５】
2008077503.tif 000027
【図２６】
2008077503.tif 000028
【図２７】
2008077503.tif 000029
【図２８】
2008077503.tif 000030
【図２９】
2008077503.tif 000031
【図３０】
2008077503.tif 000032
【図３１】
2008077503.tif 000033
【図３２】
2008077503.tif 000034
【図３３】
2008077503.tif 000035